(57)【特許請求の範囲】
【請求項１】
入力ＯＦＤＭ信号を復調して復調信号を出力する複数の復調手段、
各復調手段に対して設けられ、対応する前記復調手段から出力された前記復調信号に基づいて遅延プロファイルを算出する遅延プロファイル算出手段、
前記遅延プロファイルに基づいて、各復調信号に対応する伝送路歪みの大きさを判定する伝送路判定手段、
各復調信号に対応する前記伝送路歪み同士の相対的な大きさを示す伝送路歪み比較情報を出力する伝送路比較手段、
前記伝送路歪み比較情報に基づいて、各復調手段から出力された前記復調信号の信頼性を示す信頼性情報を出力する信頼性情報生成手段、
前記信頼性情報に応じて、各復調手段から出力された前記復調信号を合成する際に使用する重み係数を出力する重み係数算出手段、
および、前記重み係数算出手段の出力に応じて各復調手段から出力された前記復調信号を合成する合成手段を備える復調装置。
【請求項２】
入力ＯＦＤＭ信号を復調して復調信号を出力する複数の復調手段、
各復調手段に対して設けられ、対応する前記復調手段から出力された前記復調信号に含まれる雑音成分の大きさを示す雑音成分情報を出力する雑音成分算出手段、
各復調手段に対して設けられ、対応する前記復調手段から出力された前記復調信号に基づいて遅延プロファイルを算出する遅延プロファイル算出手段、
前記遅延プロファイルに基づいて、各復調信号に対応する伝送路歪みの大きさを判定する伝送路判定手段、
各復調信号に対応する前記伝送路歪み同士の相対的な大きさを示す伝送路歪み比較情報を出力する伝送路比較手段と、
前記雑音成分情報ならびに前記伝送路歪み比較情報に基づいて、各復調手段から出力された前記復調信号の信頼性を示す信頼性情報を出力する信頼性情報生成手段、
前記信頼性情報に応じて、各復調手段から出力された前記復調信号を合成する際に使用する重み係数を出力する重み係数算出手段、
および、前記重み係数算出手段の出力に応じて各復調手段から出力された前記復調信号を合成する合成手段を備える復調装置。
【請求項３】
入力ＯＦＤＭ信号の信号レベルを所定の信号レベルになるように調整する際の利得を設定する利得設定信号を出力する利得設定手段を有して構成され、前記所定の信号レベルに前記信号レベルが調整された前記入力ＯＦＤＭ信号を復調して復調信号を出力する複数の復調手段、
各復調手段に対して設けられ、対応する前記復調手段から出力された前記復調信号に含まれる雑音成分の大きさを示す雑音成分情報を出力する雑音成分算出手段、
各復調手段における前記利得設定手段から出力された前記利得設定信号を比較して、各利得設定信号同士の相対的な大きさを示す受信信号レベル情報を出力する比較手段、
前記受信信号レベル情報ならびに前記雑音成分情報に基づいて、各復調手段から出力された前記復調信号の信頼性を示す信頼性情報を出力する信頼性情報生成手段、
前記信頼性情報に応じて、各復調手段から出力された前記復調信号を合成する際に使用する重み係数を出力する重み係数算出手段、
および、前記重み係数算出手段の出力に応じて各復調手段から出力された前記復調信号を合成する合成手段を備える復調装置。
【請求項４】
入力ＯＦＤＭ信号の信号レベルを所定の信号レベルになるように調整する際の利得を設定する利得設定信号を出力する利得設定手段を有して構成され、前記所定の信号レベルに前記信号レベルが調整された前記入力ＯＦＤＭ信号を復調して復調信号を出力する複数の復調手段、
各復調手段における前記利得設定手段から出力された前記利得設定信号を比較して、各利得設定信号同士の相対的な大きさを示す受信信号レベル情報を出力する比較手段、
各復調手段に対して設けられ、対応する前記復調手段から出力された前記復調信号に基づいて遅延プロファイルを算出する遅延プロファイル算出手段、
前記遅延プロファイルに基づいて、各復調信号に対応する伝送路歪みの大きさを判定する伝送路判定手段、
各復調信号に対応する前記伝送路歪み同士の相対的な大きさを示す伝送路歪み比較情報を出力する伝送路比較手段と、
前記受信信号レベル情報、ならびに前記伝送路歪み比較情報に基づいて、各復調手段から出力された前記復調信号の信頼性を示す信頼性情報を出力する信頼性情報生成手段、
前記信頼性情報に応じて、各復調手段から出力された前記復調信号を合成する際に使用する重み係数を出力する重み係数算出手段、
および、前記重み係数算出手段の出力に応じて各復調手段から出力された前記復調信号を合成する合成手段を備える復調装置。
【請求項５】
入力ＯＦＤＭ信号の信号レベルを所定の信号レベルになるように調整する際の利得を設定する利得設定信号を出力する利得設定手段を有して構成され、前記所定の信号レベルに前記信号レベルが調整された前記入力ＯＦＤＭ信号を復調して復調信号を出力する複数の復調手段、
各復調手段における前記利得設定手段から出力された前記利得設定信号を比較して、各利得設定信号同士の相対的な大きさを示す受信信号レベル情報を出力する比較手段、
各復調手段に対して設けられ、対応する前記復調手段から出力された前記復調信号に含まれる雑音成分の大きさを示す雑音成分情報を出力する雑音成分算出手段、
各復調手段に対して設けられ、対応する前記復調手段から出力された前記復調信号に基づいて遅延プロファイルを算出する遅延プロファイル算出手段、
前記遅延プロファイルに基づいて、各復調信号に対応する伝送路歪みの大きさを判定する伝送路判定手段、
各復調信号に対応する前記伝送路歪み同士の相対的な大きさを示す伝送路歪み比較情報を出力する伝送路比較手段、
前記受信信号レベル情報、前記伝送路歪み比較情報、ならびに前記雑音成分情報に基づいて、各復調手段から出力された前記復調信号の信頼性を示す信頼性情報を出力する信頼性情報生成手段、
前記信頼性情報に応じて、各復調手段から出力された前記復調信号を合成する際に使用する重み係数を出力する重み係数算出手段、
および、前記重み係数算出手段の出力に応じて各復調手段から出力された前記復調信号を合成する合成手段を備える復調装置。
【請求項６】
前記雑音成分算出手段は、
前記復調手段から出力された前記復調信号からパイロット信号を抽出するパイロット信号抽出手段と、
前記パイロット信号の信号レベルと、予め定める既知信号の信号レベルとの誤差を算出する信号誤差算出手段と、
前記信号誤差算出手段において所定の期間に算出された複数の前記誤差を平均して、当該平均した結果を前記雑音成分情報として出力する平均誤差算出手段とを備える請求項２、３または５のいずれかに記載の復調装置。
【請求項７】
前記雑音成分算出手段は、
前記復調手段から出力された復調信号に含まれる信号であって、２値変調された信号である２値変調信号を抽出する２値信号抽出手段と、
前記２値変調信号に対して硬判定を行なう硬判定手段と、
前記２値変調信号の信号レベルと、前記硬判定手段において硬判定を行なった結果に対応する信号の信号レベルとの差分値を算出する差分値算出手段と、
前記差分値算出手段において所定の期間に算出された複数の前記差分値を平均して、当該平均した結果を前記雑音成分情報として出力する差分値平均手段とを備える請求項２、３または５のいずれかに記載の復調装置。
【請求項８】
前記遅延プロファイル算出手段は、
前記入力ＯＦＤＭ信号に含まれるパイロット信号を抽出するパイロット信号抽出手段、  前記パイロット信号と予め設定する既知信号とに基づいて前記入力ＯＦＤＭ信号に対応する伝送路応答を算出する伝送路応答算出手段、
前記伝送路応答を周波数方向および時間方向に内挿する伝送路応答内挿手段、
該伝送路応答内挿手段において内挿された前記伝送路応答に対して逆フーリエ変換を行なって前記入力ＯＦＤＭ信号を構成する到来波に対応する到来波信号を出力する逆フーリエ変換手段、
および、前記到来波信号に基づいて前記遅延プロファイルを算出する手段を備える請求項１、２、４または５のいずれかに記載の復調装置。
【請求項９】
前記伝送路判定手段は、
前記遅延プロファイル算出手段において算出された前記遅延プロファイルに対応する信号の信号レベルのうち、所定の期間である第１の期間における信号レベルの和である第１の和を算出する第１の和算出手段、
前記遅延プロファイル算出手段において算出された前記遅延プロファイルに対応する信号の信号レベルのうち、所定の期間であって前記第１の期間とは異なる第２の期間における信号レベルの和である第２の和を算出する第２の和算出手段、
および、前記第１の和と前記第２の和とに基づいて前記伝送路歪みの大きさを判定する判定手段を備える請求項１、２、４、５または８のいずれかに記載の復調装置。
【請求項１０】
前記伝送路判定手段は、
前記第１の和と前記第２の和との比または差を算出する算出手段を更に備え、
前記判定手段は、前記算出の結果と所定のしきい値とを比較して、前記伝送路歪みの大きさを判定するように構成されてなる請求項９に記載の復調装置。
【請求項１１】
前記第１の和算出手段は、ガードインターバルを前記第１の期間として、前記第１の和を算出し、
前記第２の和算出手段は、有効シンボル期間内であって、前記ガードインターバル外の期間を前記第２の期間として、前記第２の和を算出し、
前記判定手段は、前記算出手段における算出の結果と前記所定のしきい値とを比較してシンボル間干渉の有無を判定することにより前記伝送路歪みの大きさを判定するように構成されてなる請求項１０に記載の復調装置。
【請求項１２】
各復調手段に対応して設けられ、各復調信号に対応する推定値電力を算出する推定値電力算出手段を更に備え、
前記重み係数算出手段は、前記推定値電力および前記信頼性情報に基づいて前記重み係数を算出するように構成されてなる請求項１ないし１１に記載の復調装置。
【請求項１３】
前記重み係数算出手段は、
各復調信号に対応する前記信頼性情報および所定のしきい値に基づいて、各復調手段から出力された前記復調信号のうちの一の復調信号に対する重み係数を１とするように構成されてなる請求項１ないし１２のいずれかに記載の復調装置。
【請求項１４】
前記重み係数算出手段は、
前記推定値電力および前記信頼性情報に基づいて算出される値と所定の値とを比較するマスク判定手段を備え、
該マスク判定手段における比較の結果に応じて、重み係数を１とする復調信号を決定するように構成されてなる請求項１３に記載の復調装置。
【請求項１５】
請求項１ないし１４のいずれかに記載の復調装置を備えるダイバーシチ受信装置。
【請求項１６】
入力ＯＦＤＭ信号を復調して複数の復調信号を出力する復調工程、
各復調信号に含まれる雑音成分の大きさを示す雑音成分情報を算出する雑音成分算出工程、
各復調信号に基づいて遅延プロファイルを算出する遅延プロファイル算出工程、
前記遅延プロファイルに基づいて、各復調信号に対応する伝送路歪みの大きさを判定する伝送路判定工程、
各復調信号に対応する前記伝送路歪み同士の相対的な大きさを示す伝送路歪み比較情報を生成する伝送路比較工程、
前記雑音成分情報ならびに前記伝送路歪み比較情報に基づいて、各復調信号の信頼性を示す信頼性情報を生成する信頼性情報生成工程、
前記信頼性情報に応じて、前記複数の復調信号を合成する際に使用する重み係数を算出する重み係数算出工程、
および、前記重み係数に応じて前記複数の復調信号を合成する合成工程を含む復調方法。
【請求項１７】
入力ＯＦＤＭ信号の信号レベルを所定の信号レベルになるように調整する際の利得を設定する利得設定工程、
前記所定の信号レベルに前記信号レベルが調整された複数の前記入力ＯＦＤＭ信号を復調して複数の復調信号を出力する復調工程、
各復調信号に含まれる雑音成分の大きさを示す雑音成分情報を算出する雑音成分算出工程、
各復調信号に対応する前記利得を比較して、各利得同士の相対的な大きさを示す受信信号レベル情報を生成する比較工程、
前記受信信号レベル情報ならびに前記雑音成分情報に基づいて、各復調信号の信頼性を示す信頼性情報を生成する信頼性情報生成工程、
前記信頼性情報に応じて、前記複数の復調信号を合成する際に使用する重み係数を算出する重み係数算出工程、
および、前記重み係数に応じて前記複数の復調信号を合成する合成工程を含む復調方法。
【請求項１８】
入力ＯＦＤＭ信号の信号レベルを所定の信号レベルになるように調整する際の利得を設定する利得設定工程、
前記所定の信号レベルに前記信号レベルが調整された複数の前記入力ＯＦＤＭ信号を復調して複数の復調信号を出力する復調工程、
各復調信号に対応する前記利得を比較して、各利得設定信号同士の相対的な大きさを示す受信信号レベル情報を生成する比較工程、
各復調信号に基づいて遅延プロファイルを算出する遅延プロファイル算出工程、
前記遅延プロファイルに基づいて、各復調信号に対応する伝送路歪みの大きさを判定する伝送路判定工程、
各復調信号に対応する前記伝送路歪み同士の相対的な大きさを示す伝送路歪み比較情報を生成する伝送路比較工程、
前記受信信号レベル情報、ならびに前記伝送路歪み比較情報に基づいて、各復調信号の信頼性を示す信頼性情報を生成する信頼性情報生成工程、
前記信頼性情報に応じて、前記複数の復調信号を合成する際に使用する重み係数を算出する重み係数算出工程、
および、前記重み係数に応じて前記複数の復調信号を合成する合成工程を含む復調方法。
【請求項１９】
入力ＯＦＤＭ信号の信号レベルを所定の信号レベルになるように調整する際の利得を設定する利得設定工程、
前記所定の信号レベルに前記信号レベルが調整された複数の前記入力ＯＦＤＭ信号を復調して複数の復調信号を出力する復調工程、
各復調信号に対応する前記利得を比較して、各利得設定信号同士の相対的な大きさを示す受信信号レベル情報を生成する比較工程、
各復調信号に含まれる雑音成分の大きさを示す雑音成分情報を算出する雑音成分算出工程、
各復調信号に基づいて遅延プロファイルを算出する遅延プロファイル算出工程、
前記遅延プロファイルに基づいて、各復調信号に対応する伝送路歪みの大きさを判定する伝送路判定工程、
各復調信号に対応する前記伝送路歪み同士の相対的な大きさを示す伝送路歪み比較情報を生成する伝送路比較工程、
前記受信信号レベル情報、前記伝送路歪み比較情報、ならびに前記雑音成分情報に基づいて、各復調信号の信頼性を示す信頼性情報を生成する信頼性情報生成工程、
前記信頼性情報に応じて、前記複数の復調信号を合成する際に使用する重み係数を算出する重み係数算出工程、
および、前記重み係数に応じて前記複数の復調信号を合成する合成工程を含む復調方法。
【請求項２０】
入力ＯＦＤＭ信号を復調して複数の復調信号を出力する復調工程、
各復調手段に基づいて遅延プロファイルを算出する遅延プロファイル算出工程、
前記遅延プロファイルに基づいて、各復調信号に対応する伝送路歪みの大きさ伝送路を判定する伝送路判定工程、
各復調信号に対応する前記伝送路歪み同士の相対的な大きさを示す伝送路歪み比較情報を生成する伝送路比較手段、
前記伝送路歪み比較情報に基づいて、各復調手段の信頼性を示す信頼性情報を生成する信頼性情報生成工程、
前記信頼性情報に応じて、前記複数の復調信号を合成する際に使用する重み係数を算出する重み係数算出工程、
および、前記重み係数に応じて前記複数の復調信号を合成する合成工程を含む復調方法。
【請求項２１】
前記重み係数算出工程において、
前記信頼性情報生成工程において生成された、各復調信号に対応する前記信頼性情報および所定のしきい値に基づいて、前記複数の復調信号のうちの一の復調信号に対する重み係数を１とすることを特徴とする請求項１６ないし２０のいずれかに記載の復調方法。
【発明の詳細な説明】
【技術分野】
【０００１】
この発明は、直交周波数分割多重された信号をダイバーシチ受信するダイバーシチ受信装置およびダイバーシチ受信方法に関する。
【背景技術】
【０００２】
直交周波数分割多重（以下、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）ともいう）信号を受信する従来のダイバーシチ受信装置は、複数のアンテナを用いて受信される複数の受信信号を周波数変換して得た周波数スペクトル信号に対して、前記周波数スペクトル信号から求めた各搬送波の伝送路応答に応じて重み付けを行なう。そして、当該重み付けされた信号を搬送波ごとに合成して復調する（例えば、特許文献１および非特許文献１参照）。
【０００３】
【特許文献１】特開平１１−２０５２０８号公報（第８頁−第９頁、第１図）
【非特許文献１】伊丹誠ほか、「アレイアンテナを用いたＯＦＤＭ信号の受信特性の解析」、映像情報メディア学会誌、Ｖｏｌ．５３、Ｎｏ．１１、１９９９年１１月、ｐ．１５６６−１５７４
【発明の開示】
【発明が解決しようとする課題】
【０００４】
上述した従来のダイバーシチ受信装置では、各搬送波の伝送路応答の振幅または当該振幅の２乗値を用いて、復調信号を合成する際の合成比を決定する。そのため、各受信信号の平均受信電力が異なる場合または搬送波電力対雑音電力比が異なる場合には、最適な合成比を算出することができない。したがって、ダイバーシチによる利得を十分に得ることができない。
【０００５】
また、各受信信号の平均受信電力が大きく異なる場合または搬送波電力対雑音電力比が大きく異なる場合には、ダイバーシチ合成することによって復調後の誤り率が増大してしまう。すなわち、当該ダイバーシチ受信装置の受信性能が劣化する。
【０００６】
さらに、各受信信号が経由した伝送路の歪みの大きさ、当該伝送路の特性によって生じるシンボル間干渉の影響、または当該ダイバーシチ受信装置において誤ったタイミングでフーリエ変換を行なうことによって生じるシンボル間干渉の影響を考慮することができない。したがって、上述した影響に応じた最適な合成比を算出することができない。
【０００７】
この発明は、上述のような課題を解消するためになされたもので、受信信号に応じた最適な合成比を算出してダイバーシチ合成を行なうことにより、当該ダイバーシチ受信装置の受信性能を向上することを目的とする。
【課題を解決するための手段】
【０００８】
本発明に係るダイバーシチ受信装置は、入力ＯＦＤＭ信号を復調して復調信号を出力する複数の復調手段、各復調手段に対して設けられ、対応する前記復調手段から出力された前記復調信号に基づいて遅延プロファイルを算出する遅延プロファイル算出手段、前記遅延プロファイルに基づいて、各復調信号に対応する伝送路歪みの大きさを判定する伝送路判定手段、各復調信号に対応する前記伝送路歪み同士の相対的な大きさを示す伝送路歪み比較情報を出力する伝送路比較手段、前記伝送路歪み比較情報に基づいて、各復調手段から出力された前記復調信号の信頼性を示す信頼性情報を出力する信頼性情報生成手段、前記信頼性情報に応じて、各復調手段から出力された前記復調信号を合成する際に使用する重み係数を出力する重み係数算出手段、および、前記重み係数算出手段の出力に応じて各復調手段から出力された前記復調信号を合成する合成手段を備える。
【発明の効果】
【０００９】
本発明に係るダイバーシチ受信装置によれば、受信信号に応じた最適な合成比を算出してダイバーシチ合成を行なうことができる。したがって、当該ダイバーシチ受信装置の受信性能を向上することができる。
【発明を実施するための最良の形態】
【００１０】
実施の形態１．
以下、実施の形態１におけるダイバーシチ受信装置を説明するに先立ち、直交周波数分割多重方式の伝送技術、およびダイバーシチ技術について説明する。
【００１１】
まず、以下、直交周波数分割多重方式の伝送技術について説明する。直交周波数分割多重方式は、送信装置において、互いの周波数が直交する複数の搬送波によって、送信するデータ（以下、送信データともいう）を変調および多重して送信し、受信装置において、送信装置で行なった処理と逆の処理を実施して前記送信データを復調する送受信方式であり、放送や通信の分野で特に実用化が進んでいる。
【００１２】
前記ＯＦＤＭ方式による伝送において送信される送信データは、複数の搬送波に割り振られ、各搬送波においてＱＰＳＫ（Ｑｕａｄｒａｔｕｒｅ  Ｐｈａｓｅ  Ｓｈｉｆｔ  Ｋｅｙｉｎｇ）方式、ＱＡＭ（Ｑｕａｄｒａｔｕｒｅ  Ａｍｐｌｉｔｕｄｅ  Ｍｏｄｕｌａｔｉｏｎ）方式、またはＤＱＰＳＫ（Ｄｉｆｆｅｒｅｎｔｉａｌ  Ｅｎｃｏｄｅｄ  Ｑｕａｄｒａｔｕｒｅ  Ｐｈａｓｅ  Ｓｈｉｆｔ  Ｋｅｙｉｎｇ）方式等でデジタル変調される。
【００１３】
また、受信装置において前記送信データを再生するために必要となる搬送波の変調方式に関する情報や誤り訂正符号に関する情報（以下、伝送パラメータともいう）が、特定の搬送波を用いてＤＢＰＳＫ（Ｄｉｆｆｅｒｅｎｔｉａｌ  Ｅｎｃｏｄｅｄ  Ｂｉｎａｒｙ  Ｐｈａｓｅ  Ｓｈｉｆｔ  Ｋｅｙｉｎｇ）方式、またはＢＰＳＫ（Ｂｉｎａｒｙ  Ｐｈａｓｅ  Ｓｈｉｆｔ  Ｋｅｙｉｎｇ）方式でデジタル変調されて多重される場合もある。
【００１４】
さらに、受信装置で各搬送波を復調するために、ＤＢＰＳＫまたはＢＰＳＫ方式でデジタル変調された既知信号（以下、パイロット信号ともいう）が特定の搬送波を用いて多重される。また、受信装置における復調動作を補助する目的でＤＢＰＳＫまたはＢＰＳＫ方式でデジタル変調されたパイロット信号が特定の搬送波を用いて多重されている場合もある。上述の、多重化された搬送波は、前記送信装置において逆フーリエ変換処理を行なうことによって直交変換された後、所望の送信周波数に周波数変換されて送信される。
【００１５】
具体的には、送信時に送信する送信データが、各搬送波の変調方式に応じてマッピングされる。そして、前記マッピングされたデータは逆離散フーリエ変換される。次に、逆離散フーリエ変換後に得られる信号の最後部が当該信号の先頭にコピーされる。なお、当該コピーされた部分はガードインターバルと呼ばれる。そして、当該ガードインターバルを付加することによって、ガードインターバル長以下の遅延時間を有する遅延波を受信装置が受信した場合であっても、当該受信装置においてシンボル間干渉を生じることなく送信データを再生することができる。
【００１６】
ＯＦＤＭ方式においては、全ての搬送波は互いに直交し、受信装置において搬送波周波数が正しく再生された場合には送信データを正しく再生することができる。そのため、ＯＦＤＭ信号を受信する受信装置では、受信したＯＦＤＭ方式の複素デジタル信号を直交復調し、所望の周波数帯域に周波数変換し、さらにガードインターバルを除去した後、フーリエ変換を行なって周波数ドメインの信号に変換してから検波して復調を行なう。
【００１７】
ＯＦＤＭ方式における各搬送波は、多値ＰＳＫ方式や多値ＱＡＭ方式などの変調方式に従ってマッピングされた送信データを伝送しており、これらの搬送波を復調するために、前記搬送波には周波数および時間方向に周期的に既知のパイロット信号が挿入されている。例えば、日本の地上デジタルＴＶ放送方式では、スキャッタードパイロット信号が周期的に挿入されており、ＯＦＤＭ信号を受信する受信装置では当該スキャッタードパイロット信号に基づいて伝送路の特性を推定して各搬送波の復調を行なう。
【００１８】
次に、ダイバーシチ技術について説明する。ダイバーシチ技術は、受信した信号を復調する復調部を複数（少なくとも２つ）設けることにより、当該復調部が１つの場合よりも当該受信装置の受信性能を向上させるものである。一般に、マルチパス伝送路やレイリーフェージング伝送路などの劣悪な伝送路環境下で信号を受信する場合に、当該ダイバーシチ技術を利用することが非常に効果的である。具体的には、上述のような劣悪な伝送路環境下で信号の受信を行なう場合に、空間ダイバーシチを実施することによって、復調後に得られる復調信号の誤り率を減少させることができる。すなわち、当該受信装置の受信性能を向上することができる。
【００１９】
図１は、実施の形態１におけるダイバーシチ受信装置の構成を示すブロック図である。実施の形態１におけるダイバーシチ受信装置は、複数（ｎ個）の復調部１００ａ・・・１００ｎを有する。そして、各復調部に対して、推定値電力算出部８ａ，・・・，８ｎ、雑音電力算出部９ａ，・・・，９ｎ、遅延プロファイル算出部１０ａ，・・・，１０ｎ、伝送路判定部１１ａ，・・・，１１ｎおよび信頼性情報生成部１３ａ，・・・，１３ｎが設けられる。
【００２０】
なお、以下の説明においては、各復調部１００ａ，・・・，１００ｎ、および各復調部１００ａ，・・・，１００ｎに対して設けられる推定値電力算出部８ａ，・・・，８ｎ、雑音電力算出部９ａ，・・・，９ｎ、遅延プロファイル算出部１０ａ，・・・，１０ｎ、伝送路判定部１１ａ，・・・，１１ｎおよび信頼性情報生成部１３ａ，・・・，１３ｎを含む構成を復調経路またはブランチという。したがって、例えば、図１における第１の復調部１００ａ、第１の推定値電力算出部８ａ、第１の雑音電力算出部９ａ、第１の遅延プロファイル算出部１０ａ、第１の伝送路判定部１１ａおよび第１の信頼性情報生成部１３ａを含む構成が第１のブランチとなる。また、図１においては、第１のブランチから第ｎのブランチのうち、第１のブランチおよび第ｎのブランチの２つのブランチを示した。なお、ｎ個の復調経路が、同様の動作を各々独立に行なうため、全ブランチに共通の構成については、第１のブランチの構成のみについて以下に説明する。
【００２１】
図１において、第１のブランチのアンテナ１ａは、図示しない送信装置から送信されたＯＦＤＭ信号を受信する。アンテナ１ａによって受信されたＯＦＤＭ信号は、周波数変換部２ａに入力される。周波数変換部２ａは、入力されたＯＦＤＭ信号を所定の周波数帯域に周波数変換して自動利得調整部３ａに出力する。自動利得調整部３ａは、周波数変換部２ａから出力されたＯＦＤＭ信号に対して所定のゲイン（利得）を与えて、所定の電力値となるように当該ＯＦＤＭ信号の電力値を調整ずる。そして、利得設定部４ａおよびフーリエ変換部５ａに出力する。
【００２２】
利得設定部４ａは、自動利得調整部３ａの出力に応じて、当該自動利得調整部３ａのゲインを設定する信号（以下、利得設定信号ともいう）を前記自動利得調整部３ａに出力する。一方、フーリエ変換部５ａは、前記送信装置において当該ＯＦＤＭ信号に付加されたガードインターバルを検出して同期を確立し、入力されたＯＦＤＭ信号に対してフーリエ変換を行なう。そして、フーリエ変換部５ａにおいてフーリエ変換して得られる信号（以下、搬送波信号ともいう）は、伝送路推定部６ａ、搬送波復調部７ａおよび遅延プロファイル推定部１０ａに出力される。
【００２３】
伝送路推定部６ａは、フーリエ変換部５ａから出力された搬送波信号から、前記送信装置において挿入されたパイロット信号を抽出する。そして、抽出したパイロット信号と、当該パイロット信号に対応し、当該ダイバーシチ受信装置において既知である既知信号とに基づいて、伝送路応答を算出する。具体的には、抽出したパイロット信号の振幅と既知信号の振幅との差（すなわち、伝送路の歪み（以下、伝送路歪みともいう）の影響によって生じるパイロット信号の振幅変化）、および前記パイロット信号の位相と前記既知信号の位相との差（すなわち、伝送路の歪みの影響によって生じるパイロット信号の位相変化）を算出する。なお、伝送路とは、アンテナ１ａによって受信されたＯＦＤＭ信号が、前記送信装置から当該ダイバーシチ受信装置に到達するまでの経路である。
【００２４】
また、当該伝送路推定部６ａは、各パイロット信号に対して算出した伝送路応答を周波数方向および時間方向に内挿して、前記ＯＦＤＭ信号に含まれる全ての搬送波に対する伝送路応答を推定し、当該推定した伝送路応答に対応する信号を前記搬送波復調部７ａおよび推定値電力算出部８ａに出力する。
【００２５】
搬送波復調部７ａは、前記フーリエ変換部５ａから出力された搬送波信号を前記伝送路推定部６ａから出力された信号で除算することによって各搬送波を復調し、当該復調後の信号（以下、復調信号ともいう）を雑音電力算出部９ａおよび合成部１５に出力する。
【００２６】
ここで、当該搬送波復調部７ａにおける動作を具体的に説明する。第１のブランチにおいて、第ｉ番目のＯＦＤＭシンボルに対するフーリエ変換部５ａの出力のうち、第ｋ番目の周波数成分である搬送波をｘａ（ｉ，ｋ）、当該搬送波に対する伝送路応答をｈａ（ｉ，ｋ）、雑音成分をｎａ（ｉ，ｋ）とし、前記送信装置から送信された搬送波をｃ（ｉ，ｋ）とする。そして、送信装置から送信された搬送波の周波数と、当該ダイバーシチ受信装置における搬送波の周波数とが同期し、前記フーリエ変換部５ａにおけるフーリエ変換のタイミングが同期している場合、前記ｘａ（ｉ，ｋ）、ｈａ（ｉ，ｋ）、ｎａ（ｉ，ｋ）およびｃ（ｉ，ｋ）の間には下記式（１）の関係が成立する。
【００２７】
0003724501.tif 000002
【００２８】
また、第１のブランチにおける第ｉ番目のＯＦＤＭシンボルの第ｋ番目の搬送波ｘａ（ｉ，ｋ）に対して、伝送路推定部６ａで推定した伝送路応答をｈ＜ｅｓｔ＞ａ（ｉ，ｋ）、搬送波復調部７ａから出力された復調信号をｙａ（ｉ，ｋ）とすると、ｘａ（ｉ，ｋ）、ｈ＜ｅｓｔ＞ａ（ｉ，ｋ）、およびｙａ（ｉ，ｋ）の間には下記式（２）の関係が成立する。
【００２９】
0003724501.tif 000003
【００３０】
したがって、例えば、前記伝送路判定部６ａにおいて伝送路を推定した結果が正しく、当該伝送路において雑音成分が無い理想的な場合、当該搬送波復調部７ａから出力される復調信号は前記送信装置から送信された搬送波と等しくなる。すなわち、前記送信装置から送信された信号は正確に復調される。
【００３１】
推定値電力算出部８ａは、前記伝送路判定部６ａから出力された信号に基づいて、各搬送波の伝送路応答を推定した結果（以下、推定値ともいう）に対応する信号の振幅の２乗値（以下、推定値情報ともいう）を算出し、当該推定値情報に対応する信号を第１の重み係数算出部１４に出力する。なお、実施の形態１の推定値電力算出部８ａにおいては、前記推定値情報として前記振幅の２乗値を算出する場合について説明したが、当該推定値電力算出部８ａにおいて前記振幅の絶対値を算出してもよい。
【００３２】
前記雑音電力算出部９ａは、前記搬送波復調部７ａから出力された復調信号に含まれるパイロット信号に基づいて当該復調信号における雑音成分を示す情報（例えば、雑音成分に対応する電力の平均値、または当該電力に比例する値。以下、雑音成分情報ともいう）を生成する。具体的には、例えば、当該ダイバーシチ受信装置において既知である既知信号の電力値と、前記復調信号の電力値との差を算出し、当該電力値に対応する信号を前記雑音成分情報に対応する信号として信頼性情報生成部１３ａに出力する。すなわち、前記雑音成分が小さい場合、雑音成分情報に対応する値（電力値の差）は小さい値となり、前記雑音成分が大きい場合、雑音成分情報に対応する値は大きい値となる。
【００３３】
前記遅延プロファイル算出部１０ａは、前記フーリエ変換部５ａから出力された前記搬送波信号に基づいて、前記アンテナ１ａによって受信されたＯＦＤＭ信号が経由した伝送路に対応する遅延プロファイルを算出する。そして、当該遅延プロファイルに対応する信号を伝送路判定部１１ａに出力する。
【００３４】
伝送路判定部１１ａは、前記遅延プロファイル算出部１０ａにおいて算出された遅延プロファイルに基づいて、前記ＯＦＤＭ信号が経由した伝送路の歪み（伝送路歪み）の大きさを判定して、当該伝送路歪みに対応する情報（以下、伝送路歪み情報ともいう）を生成する。そして、当該伝送路歪み情報に対応する信号を伝送路比較部１２に出力する。
【００３５】
伝送路比較部１２は、各ブランチにおける伝送路判定部１１ａ・・・１１ｎにおいて生成された伝送路歪み情報に対応する電力値（すなわち、伝送路歪みの大きさ）を比較して、各ブランチから出力された復調信号（すなわち、搬送波復調部７ａ・・・７ｎの出力）に対応する伝送路歪みの相対的な大きさを示す情報（以下、伝送路歪み比較情報ともいう）を生成する。具体的には、各ブランチの伝送路判定部１１ａ・・・１１ｎから出力された伝送路歪み情報が示す伝送路歪みの大きさの相対関係に基づいて前記伝送路歪み比較情報を生成する。そして、当該伝送路歪み情報に対応する信号を、搬送波毎に、各ブランチにおける信頼性情報生成部１３ａ，・・・，１３ｎに出力する。
【００３６】
信頼性情報生成部１３ａは、前記雑音電力算出部９ａから出力された信号および前記伝送路比較部１２から出力された信号に基づいて、第１のブランチに対応する復調信号の信頼性を示す情報（以下、信頼性情報ともいう）を生成して第１の重み係数算出部１４に出力する。なお、前記信頼性とは、当該ダイバーシチ受信装置の各復調部において受信したＯＦＤＭ信号が、どの程度理想伝送路に近い伝送路を経由して受信されたかを示すものであり、前記ＯＦＤＭ信号が伝搬した当該伝送路が理想伝送路に近いほど信頼性が高いとする。ただし、前記理想伝送路とは、当該伝送路を伝搬した信号が当該伝送路の歪みの影響を受けることなく（すなわち、振幅歪みおよび位相歪みがなく）伝搬され、かつ当該信号に重畳される雑音が無い伝送路をいう。
【００３７】
第１の重み係数算出部１４は、各ブランチにおける、推定値電力算出部８ａ，・・・，８ｎから出力された信号、および信頼性情報生成部１３ａ，・・・，１３ｎから出力された信号に応じて、各ブランチから出力された復調信号をダイバーシチ合成する際の合成比（以下、重み係数ともいう）を算出し、当該合成比に対応する信号を合成部１５に出力する。
【００３８】
合成部１５は、第１の重み係数算出部１４において算出された合成比に応じて、各ブランチの搬送波復調部７ａ，・・・，７ｎから出力された復調信号を合成する。具体的には、前記第１の重み係数算出部１４において算出された重み係数を、当該重み係数に対応する復調信号に乗算し、乗算した結果を積算して復調信号を合成する。そして、合成して得られる復調信号（以下、ダイバーシチ出力信号ともいう）を当該ダイバーシチ受信装置が接続される機器等（図示せず）に出力する。
【００３９】
図２は、雑音電力算出部９ａの構成を示すブロック図である。上述のように、従来のダイバーシチ受信装置において、各ブランチから出力された復調信号の搬送波電力対雑音電力比（以下、ＣＮＲ（Ｃａｒｒｉｅｒ  ｔｏ  Ｎｏｉｓｅ  Ｒａｔｉｏ）ともいう）が大きく異なる場合にダイバーシチ合成を行なうと誤り率が増大してしまう。そして、当該誤り率の増大は、ダイバーシチ合成を行なう際の合成比の算出において前記ＣＮＲに関する情報が考慮されていないために、最適な合成比を導出することができないことに起因する。そこで、実施の形態１におけるダイバーシチ受信装置においては、ＣＮＲに関する情報を考慮して最適な合成比を導出すべく、当該雑音電力算出部９ａにおいて前記雑音成分情報を生成する。
【００４０】
ここで、復調信号のＣＮＲについて説明する。図３は、ＯＦＤＭ信号に含まれるパイロット信号がＢＰＳＫ方式またはＤＢＰＳＫ方式で変調されている場合における、前記復調信号に含まれる前記パイロット信号の複素平面上の信号点配置（以下、コンスタレーションともいう）を説明するための説明図である。また、図３（ａ）はＣＮＲが小さい場合のコンスタレーションを示し、図３（ｂ）はＣＮＲが大きい場合のコンスタレーションを示す。
【００４１】
送信装置から当該ダイバーシチ受信装置において復調信号が得られるまでの経路（伝送路）においてＯＦＤＭ信号に重畳される雑音や伝送路歪の影響によって、各ブランチにおいて得られる復調信号のＣＮＲが変化する。そして、当該ＣＮＲの変化に応じてコンスタレーションが異なる。すなわち、ＣＮＲが大きい場合には、図３（ａ）のように、本来の信号点に近い部分に信号点が分布するコンスタレーションとなり、ＣＮＲが小さくなるにともなって本来の信号点からより遠い部分に信号点が分布するようなコンスタレーションとなる。したがって、復調信号に含まれるパイロット信号のコンスタレーションにおける信号点分布（信号点の広がり）から、当該復調信号に含まれる雑音成分の電力（以下、雑音電力ともいう。）を算出することができる。そして、当該信号点の分布は、復調信号のＣＮＲに比例する量を等価的に表す。
【００４２】
なお、ＣＮＲが大きい場合とは、搬送波電力（すなわち、復調信号に対応する電力）に対して雑音電力が小さい場合である。また、当該雑音電力は、伝送路においてＯＦＤＭ信号に重畳される雑音成分の電力のほか、シンボル間干渉、または送信装置と受信装置との搬送波周波数誤差等によって生じる妨害成分の電力も含む。
【００４３】
以下、前記図２に示した雑音電力算出部９ａの構成について説明する。図２において、パイロット信号抽出部９１ａは、前記搬送波復調部７ａから出力された前記復調信号に含まれるパイロット信号を抽出して、信号誤差算出部９２ａに出力する。なお、当該ダイバーシチ受信装置において、前記復調信号におけるパイロット信号の位置は既知である。
【００４４】
信号誤差算出部９２ａは、前記パイロット信号抽出部９１ａから出力されたパイロット信号の電力値と、当該パイロット信号に対応する既知信号の電力値との差（電力差）を算出して、当該電力差に対応する信号を平均誤差算出部９３ａに出力する。なお、当該信号誤差算出部９２ａにおける既知信号は、当該ダイバーシチ受信装置に、前記パイロット信号に対応付けて予め設定する既知の信号である。ここで、当該信号誤差算出部９２ａにおける演算について数式を用いて具体的に説明する。
【００４５】
図４は、日本の地上デジタル放送方式で使用されているＯＦＤＭ信号におけるパイロット信号（スキャッタードパイロット信号）および当該パイロット信号以外の信号の配置を模式的に示した模式図である。なお、図４において黒丸はパイロット信号を示し、白丸は当該パイロット信号以外の信号を示す。図４に示したように、例えば、第１のブランチにおいて受信したＯＦＤＭ信号における第ｉ番目のＯＦＤＭシンボルの第ｋ番目の搬送波がパイロット信号である場合、当該パイロット信号の復調信号を複素信号として下記式（３）のように表すことができる。また、当該パイロット信号に対応する既知信号を下記式（４）のように表す。なお、下記式（３）および式（４）におけるｊは虚数単位である。
【００４６】
0003724501.tif 000004
【００４７】
0003724501.tif 000005
【００４８】
そうすると、当該信号誤差算出部９２ａにおける演算は、下記式（５）のように表わすことができる。なお、当該パイロット信号が、ＢＰＳＫ変調方式またはＤＢＰＳＫ変調方式によって変調されて送信されている場合、前記式（４）における虚部は０となる。
【００４９】
0003724501.tif 000006
【００５０】
前記平均誤差算出部９３ａは、前記誤差信号算出部９２ａから、所定の期間に出力された信号に対応する電力差の平均を算出する。そして、当該算出の結果得られる電力差の平均値に対応する信号を第１の信頼性情報生成部１３ａに出力する。したがって、平均誤差算出部９３ａから出力される信号の電力値は、前記所定の期間において平均化された雑音電力に比例する。すなわち、雑音電力が大きいほど（すなわち、ＣＮＲが小さいほど）、当該平均誤差算出部９３ａから出力される信号の電力値が大きくなる。なお、当該平均誤差算出部９３ａにおける前記所定の期間は、当該ダイバーシチ受信装置の仕様、設計等に応じて任意に設定する。
【００５１】
図５は、前記遅延プロファイル算出部１０ａの構成を示すブロック図である。図５において、パイロット信号抽出部１０１ａは、前記フーリエ変換部５ａから出力された前記搬送波信号からパイロット信号を抽出して、伝送路応答算出部１０２ａに出力する。なお、前記搬送波信号におけるパイロット信号の位置は当該ダイバーシチ受信装置において既知である。
【００５２】
伝送路応答算出部１０２ａは、前記パイロット信号抽出部１０１ａから出力されたパイロット信号を、当該パイロット信号に対応する既知信号で除算して、パイロット信号の伝送路応答を算出する。そして、前記伝送路応答に対応する信号を伝送路応答内挿部１０３ａに出力する。なお、当該伝送路応答算出部１０２ａにおける既知信号は、前記パイロット信号に対応付けて予め設定する既知の信号である。
【００５３】
伝送路応答内挿部１０３ａは、前記伝送路応答算出部１０２ａにおいて算出されたパイロット信号の伝送路応答を周波数方向および時間方向に内挿する。前記図４に示したように、日本の地上デジタル放送で使用されているスキャッタードパイロット信号は、周波数方向および時間方向に規則的に分散して挿入される。
【００５４】
したがって、スキャッタードパイロット信号以外の全ての搬送波成分に対して伝送路応答を得るには、前記伝送路応答算出部１０２ａで得られる伝送路応答を周波数方向または時間方向に内挿処理する必要がある。そこで、上述のように、当該伝送路応答内挿部１０３ａにおいて周波数方向および時間方向への内挿を行なう。当該伝送路応答内挿部１０３ａは、上述のようにして、周波数方向および時間方向に内挿処理した結果得られる伝送路応答に対応する信号を逆フーリエ変換部１０４ａに出力する。
【００５５】
逆フーリエ変換部１０４ａは、前記伝送路応答内挿部１０３ａにおいて得られた伝送路応答に対して逆フーリエ変換を行なう。具体的には、逆離散フーリエ変換処理を前記伝送路応答に対して行なう。そして、当該逆フーリエ変換部１０４ａは、逆フーリエ変換をした結果に対応する信号（到来波信号）を到来波電力値算出部１０５ａに出力する。なお、当該逆離散フーリエ変換処理に使用する離散データは、全ての搬送波成分を含むようにしてもよいし、一部の搬送波成分としてもよい。全ての搬送波成分を含むようにした場合には、当該遅延プロファイル算出部１０ａにおいて、より正確に遅延プロファイルを算出することができる。一方、一部の搬送波成分とした場合には、当該逆フーリエ変換部１０４ａにおける演算負荷を軽減することができる。
【００５６】
到来波電力値算出部１０５ａは、前記逆フーリエ変換部１０４ａから出力された信号の振幅の２乗値を算出する。前記逆フーリエ変換部１０４ａにおいて逆フーリエ変換を行なうと、当該ダイバーシチ受信装置において受信した各到来波に対応する信号を得ることができる。したがって、当該到来波電力値算出部１０５ａにおいては、各到来波に対応する信号の振幅の２乗値を算出する。そして、２乗値に対応する信号を遅延プロファイルとして伝送路判定部１１ａに出力する。なお、実施の形態１では、到来波電力値算出部１０５ａにおいて、前記振幅の２乗値を算出する場合について説明したが、当該到来波電力値算出部１０５ａにおいて振幅の絶対値を算出するようにしてもよい。
【００５７】
図６は、前記伝送路判定部１１ａの構成を示すブロック図である。上述のように、当該伝送路判定部１１ａにおいては、伝送路歪みの大きさを判定する。そして、当該伝送路歪みの大きさの判定は、前記到来波電力値算出部１０５ａから出力された信号に基づいて行なうことができる。
【００５８】
図７は、到来波電力値算出部１０５ａから出力された信号（遅延プロファイル）を模式的に示した模式図である。なお、図７においては、到来波電力値算出部１０５ａから出力された信号を到来波毎に示した。また、図７において、縦軸は各到来波の電力値を示し、横軸は各到来波が当該ダイバーシチ受信装置に到来した時間を示す。
【００５９】
図７において、最も電力の大きな到来波を所望波（以下、所望到来波ともいう）とし、２番目に電力の大きな到来波を不要波（以下、不要到来波ともいう）とすると、到来波電力値算出部１０５ａの出力に基づいて、受信信号における所望到来波の電力値と不要到来波の電力値との差または電力比を推定することができる。
【００６０】
一般に、マルチパス伝送路においては、受信信号における不要到来波の電力が大きくなるのにともなって復調信号の誤り率も増大する。特に、シンボル間干渉が発生している場合には、復調信号の誤り率が著しく大きくなる。すなわち、受信性能が著しく劣化する。
【００６１】
一方、ＯＦＤＭ伝送方式の場合、ある到来波と所望到来波との到来時間差がガードインターバル長以下であればシンボル間干渉が発生しない。すなわち、マルチパス耐性が高い。しかし、ある到来波と所望到来波との到来時間差が、ガードインターバル長よりも大きい場合には、他の伝送方式と同様にシンボル間干渉が発生する。したがって、受信性能が著しく劣化する。また、到来時間差が、ガードインターバル長以下であっても、遅延波または先行波が多数存在する場合や、遅延波の電力または先行波の電力が所望到来波に対して大きい場合にも当該ダイバーシチ受信装置の受信性能が劣化する。なお、図７に示した遅延プロファイルは、不要到来波がガードインターバル外に存在しているため、シンボル間干渉が発生している場合の遅延プロファイルである。
【００６２】
上述のように、従来のダイバーシチ受信装置においては、受信信号が経由した伝送路の歪みの大きさ、シンボル間干渉の影響、または当該ダイバーシチ受信装置において誤ったタイミングでフーリエ変換を行なうことによって生じるシンボル間干渉の影響を考慮することができないため、最適な合成比を得ることができない。
【００６３】
そして、従来のダイバーシチ受信装置のように、搬送波の受信電力に応じて復調信号を合成すると、伝送路特性の影響に起因する劣化が大きい復調信号と、伝送路特性の影響に起因する劣化の少ない信号とを伝送路特性の影響に関係なく合成してしまう。そうすると、ダイバーシチ合成によって得られた復調信号の誤り率が増大する場合がある。
【００６４】
そこで、実施の形態１のダイバーシチ受信装置においては、伝送路歪みの大きさ等に関する情報を考慮して最適な合成比を導出すべく、当該伝送路判定部１１ａにおいて前記伝送路歪み情報を生成する。
【００６５】
以下、前記図６に示した伝送路判定部１１ａの構成について説明する。図６において、第１の電力和演算部１１１ａは、遅延プロファイル算出部１０ａで算出された遅延プロファイルにおいてガードインターバル内に存在する到来波の電力値の和（以下、電力和ともいう）を算出する。そして、当該電力和に対応する信号を電力比算出部１１３ａに出力する。例えば、前記図７に示した遅延プロファイルの場合、当該第１の電力和演算部１１１ａは、ガードインターバル長ｔ１内の領域における各到来波の電力和を算出する。なお、以下の説明においては当該第１の電力和演算部１１１ａにおいて算出される電力和を第１の電力和ＳｕｍＰ１ともいう。
【００６６】
第２の電力和演算部１１２ａは、遅延プロファイル算出部１０ａで算出された遅延プロファイルにおいてガードインターバル外に存在する到来波の電力和を算出する。そして、当該電力和に対応する信号を電力比算出部１１３ａに出力する。例えば、前記図７に示した遅延プロファイルの場合、当該第２の電力和演算部１１２ａは、有効シンボル長内であって、かつガードインターバル長ｔ１外の領域における各到来波の電力和を算出する。なお、以下の説明においては当該第２の電力和演算部１１２ａにおいて算出される電力和を第２の電力和ＳｕｍＰ２ともいう。
【００６７】
電力比算出部１１３ａは、第１の電力和と第２の電力和との比（電力比）を算出して、当該電力比に対応する信号をシンボル間干渉判定部１１４ａに出力する。
【００６８】
シンボル間干渉判定部１１４ａは、前記電力比算出部１１３ａにおいて算出された電力比に基づいてシンボル間干渉の有無を判定し、当該判定の結果を前記伝送路歪み情報として伝送路比較部１２に出力する。具体的には、前記電力比と、予め設定するしきい値（以下、シンボル間干渉判定しきい値ともいう）とを比較し、当該比較の結果に応じてシンボル間干渉の有無を判定する。例えば、前記第２の電力和を前記第１の電力和で除算する場合（ＳｕｍＰ２／ＳｕｍＰ１）には、シンボル間干渉成分が大きくなると前記第２の電力和の値が大きくなることから除算の結果得られる電力比の値が大きくなる。よって、前記電力比とシンボル間干渉判定しきい値との比較によってシンボル間干渉の有無を判定することができる。具体的には、当該電力比がシンボル間干渉判定しきい値よりも大きい場合にはシンボル間干渉が発生していると判定し、小さい場合にはシンボル間干渉が発生していないと判定する。
【００６９】
なお、上述の説明においては、シンボル間干渉の有無を判定するに際して、電力比を使用する場合について説明したが、当該判定に際しては電力差を使用してもよい。例えば、
前記第２の電力和から前記第１の電力和を減算する場合（ＳｕｍＰ２−ＳｕｍＰ１）には、シンボル間干渉成分が大きくなると前記第２の電力和の値が大きくなることから減算の結果得られる電力差の値が大きくなる。したがって、当該電力差がシンボル間干渉判定しきい値よりも大きい場合にはシンボル間干渉が発生していると判定し、小さい場合にはシンボル間干渉が発生していないと判定する。
【００７０】
また、上述の説明においては、ガードインターバル内の成分を所望到来波とし、ガードインターバル外の成分を不要到来波とみなしたが、有効シンボル内において電力値が最大の成分、および当該電力値が最大の成分を中心にして所定の到来時間差を持つ範囲に含まれる成分を所望到来波とし、当該範囲に含まれない成分を不要到来波として、伝送路歪み情報を生成してもよい。
【００７１】
ここで、前記第１の信頼性情報生成部１３ａにおける信頼性情報の生成について説明する。なお、以下の説明においてはブランチが３つの場合を例とし、３つのブランチをそれぞれ第１のブランチ、第２のブランチ、第３のブランチとする。また、前記第１のブランチの各要素には「ａ」の符号を付し、同様に、前記第２のブランチの各要素には「ｂ」の符号を、前記第３のブランチの各要素には「ｃ」の符号を付して説明する。上述のように、当該第１の信頼性情報生成手段１３ａは、前記雑音電力算出部９ａから出力された信号および前記伝送路比較部１２から出力された信号に基づいて、各復調経路の復調信号の信頼性を示す信頼性情報を生成する。
【００７２】
例えば、前記伝送路比較部１２に、第１のブランチの第１の伝送路判定部１１ａから、当該第１のブランチの受信信号にシンボル間干渉が発生していると判定された旨を示す第１の信号（第１の伝送路歪み情報に対応する信号）が入力され、第２のブランチの第２の伝送路判定部１１ｂから、当該第２のブランチの受信信号にシンボル間干渉が発生していないと判定された旨を示す第２の信号（第２の伝送路歪み情報に対応する信号）が入力され、第３のブランチの第３の伝送路判定部１１ｃから、当該第３のブランチの受信信号にシンボル間干渉が発生していないと判定された旨を示す第３の信号（第３の伝送路歪み情報に対応する信号）が入力された場合、当該伝送路比較部１２は、下記式（６）に示すような伝送路歪み比較情報を生成する。
【００７３】
0003724501.tif 000007
【００７４】
すなわち、シンボル間干渉が発生しているブランチに対する伝送路歪み比較情報をｄｉｓｉとし、シンボル間干渉が発生していないブランチに対する伝送路歪み比較情報をｄとする。なお、前記式（６）において、Ｄａは第１の伝送路歪み情報、Ｄｂは第２の伝送路歪み情報、Ｄｃは第３の伝送路歪み情報である。また、前記式（６）においてｄおよびｄｉｓｉは下記式（７）を満たすスカラー量である。
【００７５】
0003724501.tif 000008
【００７６】
すなわち、ｄはｄｉｓｉに比べて十分に小さいスカラー量である。具体的には、ｄ＝１に対してｄｉｓｉ＝１００のように設定するか、またはｄ＝１に対してｄｉｓｉ＝１０００のように設定する。
【００７７】
一方、各ブランチにおける雑音電力算出部９ａ，９ｂ，・・・，９ｃは、当該雑音電力算出部９ａ，９ｂ，・・・，９ｃにおいて算出された雑音電力に応じて雑音成分情報を生成する。なお、以下の説明においては、第１のブランチの第１の雑音電力算出部９ａにおいて生成された第１の雑音成分情報をＮａ、第２のブランチの第２の雑音電力算出部９ｂにおいて生成された第２の雑音成分情報をＮｂ、第３のブランチの第３の雑音電力算出部９ｃにおいて生成された第３の雑音成分情報をＮｃという。なお、上述のように、各雑音電力算出部９ａ，９ｂ，・・・９ｃにおいて生成される雑音成分情報は、前記雑音成分が小さい場合に値が小さくなり、前記雑音成分が大きい場合に値が大きくなる。
【００７８】
上述した各雑音成分情報および各伝送路歪み情報が対応する各ブランチの信頼性情報生成部１３ａ，１３ｂ，・・・，１３ｃに入力されると、各ブランチの信頼性情報生成部１３ａ，１３ｂ，・・・，１３ｃは、入力された雑音成分情報および伝送路歪み情報に基づいて信頼性情報を生成する。すなわち、第１のブランチにおける第１の信頼性情報生成部１３ａは、前記第１の伝送路歪み情報Ｄａおよび前記第１の雑音成分情報Ｎａに基づいて第１の信頼性情報を生成する。同様に、第２のブランチにおける第２の信頼性情報生成部１３ｂは、前記第２の伝送路歪み情報Ｄｂおよび前記第２の雑音成分情報Ｎｂに基づいて第２の信頼性情報を生成し、第３のブランチにおける第３の信頼性情報生成部１３ｃは、前記第３の伝送路歪み情報Ｄｃおよび前記第３の雑音成分情報Ｎｃに基づいて第３の信頼性情報を生成する。具体的には、下記式（８）に示すように各信頼性情報が算出される。
【００７９】
0003724501.tif 000009
【００８０】
なお、前記式（８）においてＲａは第１の信頼性情報、Ｒｂは第２の信頼性情報、Ｒｃは第３の信頼性情報である。上述のように、前記雑音成分情報の値は、雑音成分が小さいほど小さい値となる。また、前記伝送路歪み情報の値は、シンボル間干渉が発生していない場合に小さい値となる。すなわち、前記式（８）によって算出される信頼性情報の値が小さい値であれば、当該信頼性情報に対応するブランチの復調信号の信頼性が高い。よって、上述の例の場合において、例えば、第１の雑音成分情報Ｎａの値、第２の雑音成分情報Ｎｂの値、第３の雑音成分情報Ｎｃの値の比率が、Ｎａ：Ｎｂ：Ｎｃ＝３：２：１であり、ｄｉｓｉ＝１、ｄ＝１００である場合には、Ｒａ：Ｒｂ：Ｒｃ＝３００：２：１となる。すなわち、第１の復調経路の復調信号の信頼性が最も低く、第３の復調経路の復調信号の信頼性が最も高いことになる。
【００８１】
図８は、第１の重み係数算出部１４の構成を示すブロック図である。当該第１の重み係数算出部１４は、各ブランチの信頼性情報生成部１３ａ，１３ｂ，・・・，１３ｎから出力された信頼性情報、および各ブランチの推定値電力算出部８ａ，８ｂ，・・・，８ｎから出力された前記推定値情報に基づいて、各ブランチから出力された復調信号を合成する際に使用する合成比（以下、重み係数ともいう）を算出する。なお、重み係数は、復調信号に対する重み係数の総和が１になるように算出される。
【００８２】
例えば、上述のように、当該ダイバーシチ受信装置におけるブランチが３つである場合、当該ダイバーシチ受信装置から最終的に出力されるダイバーシチ出力信号は下記式（９）のように表すことができる。
【００８３】
0003724501.tif 000010
【００８４】
なお、前記式（９）において、Ｒａは前記第１の信頼性情報、ｙａ（ｉ，ｋ）は第１のブランチから出力された第ｉ番目のＯＦＤＭシンボルの第ｋ番目の復調信号（第１の復調信号）、ｐａ（ｉ，ｋ）は第１のブランチにおける推定値電力算出部８ａから出力された推定値情報（以下、第１の推定値情報ともいう）である。また、同様に、Ｒｂは前記第２の信頼性情報、ｙｂ（ｉ，ｋ）は第２のブランチから出力された第ｉ番目のＯＦＤＭシンボルの第ｋ番目の復調信号（第２の復調信号）、ｐｂ（ｉ，ｋ）は第２のブランチにおける推定値電力算出部８ｂから出力された推定値情報（以下、第２の推定値情報ともいう）であり、Ｒｃは前記第３の信頼性情報、ｙｃ（ｉ，ｋ）は第３のブランチから出力された第ｉ番目のＯＦＤＭシンボルの第ｋ番目の復調信号（第３の復調信号）、ｐｃ（ｉ，ｋ）は第３のブランチにおける推定値電力算出部８ｃから出力された推定値情報（以下、第３の推定値情報ともいう）である。
【００８５】
したがって、前記式（９）より、第１のブランチに対応する重み係数ｗａ（ｉ，ｋ）は、下記式（１０）のように表すことができる。
【００８６】
0003724501.tif 000011
【００８７】
また、同様に、第２のブランチに対応する重み係数ｗｂ（ｉ，ｋ）は下記式（１１）のように表すことができ、第３のブランチに対応する重み係数ｗｃ（ｉ，ｋ）は下記式（１２）のように表すことができる。
【００８８】
0003724501.tif 000012
【００８９】
0003724501.tif 000013
【００９０】
すなわち、１の復調経路の推定値情報を当該１の復調経路の信頼性情報で除算した値を、各ブランチの推定値情報を当該ブランチの信頼性情報で除算して得られた値を積算した値で除算することによって、各ブランチの復調信号に対する重み係数を算出することができる。なお、上述の説明においては、ブランチが３つの場合について説明したが、ブランチが２つまたは４つ以上の場合であっても、重み係数の算出は同様にして行なうことができる。
【００９１】
以下、前記図８に示した第１の重み係数算出部１４の構成について説明する。図８において、第１の除算部１４１ａは、第１の推定値情報を前記第１の信頼性情報で除算して得られる第１の除算値に対応する信号を重み係数調整部１４２に出力する。同様に、第２の除算部１４２ｂは、第２の推定値情報を前記第２の信頼性情報で除算して得られる第２の除算値に対応する信号を重み係数調整部１４２に出力する。また、第ｎの除算部１４２ｎは、第ｎの推定値情報を前記第ｎの信頼性情報で除算して得られる第ｎの除算値に対応する信号を重み係数調整部１４２に出力する。
【００９２】
重み係数調整部１４２は、第１の除算値、第２の除算値、・・・、第ｎの除算値を積算する。そして、前記第１の除算値を当該積算した値（以下、積算値ともいう）で除算して、第１のブランチに対応する第１の重み係数を算出する。同様に、前記第２の除算値を前記積算値で除算して第２の重み係数を算出する。また、前記第ｎの除算値を前記積算値で除算して第ｎの重み係数を算出する。そして、第１の重み係数、第２の重み係数・・・第ｎの重み係数に対応する信号を合成部１５に出力する。
【００９３】
合成部１５は、前記第１の重み係数算出部１４において算出された重み係数、および各ブランチから出力された復調信号に基づいて、復調信号の合成を行なう。したがって、例えば、上述したように、復調経路が３つの場合には、上記式（９）に基づいて復調信号の合成を行なう。具体的には、下記式（１３）に示すような演算によって、復調信号を合成してダイバーシチ出力信号ｚ（ｉ，ｋ）を出力する。
【００９４】
0003724501.tif 000014
【００９５】
以上の説明のように、実施の形態１のダイバーシチ受信装置によれば、ＣＮＲの影響を考慮して、復調信号を合成する際の合成比を算出することができる。さらに、伝送路歪みの影響、特にシンボル間干渉の影響を考慮して復調信号を合成する際の合成比を算出することができる。
【００９６】
よって、前記ＣＮＲの影響および前記伝送路歪みの影響を考慮して最適な合成比を算出することができる。したがって、復調信号を合成することによって誤り率が増大することを防止して、ダイバーシチ合成の効果を十分に得ることができる。すなわち、当該ダイバーシチ受信装置の受信性能を向上することができる。
【００９７】
なお、上述した第１の重み係数算出部１４は、ブランチが２つの場合には、以下に説明するように構成することができる。
【００９８】
図９は、ブランチが２つの場合における第１の重み係数算出部１４５ａの構成を示すブロック図である。図９において、第１の乗算部１４３ａは、第１の推定値電力算出部８ａから出力された第１の推定値情報と、第２のブランチにおける信頼性情報生成部１３ｂから出力された第２の信頼性情報とを乗算して得られる第１の乗算値に対応する信号を重み係数調整部１４４に出力する。また、第２の乗算部１４３ｂは、第２の推定値電力算出部８ｂから出力された第２の推定値情報と、第１のブランチにおける信頼性情報生成部１３ａから出力された第１の信頼性情報とを乗算して得られる第２の乗算値に対応する信号を重み係数調整部１４４に出力する。
【００９９】
なお、当該図９のように第１の重み係数算出部１４５ａを構成する場合においては、第２のブランチにおける信頼性情報生成部１３ｂから当該第１の除算部１４３ａに第２の信頼性情報を出力するように構成し、第１の復調経路における第１の信頼性情報生成部１３ａから当該第２の除算部１４３ｂに第１の信頼性情報を出力するように構成する。
【０１００】
そして、重み係数調整部１４４は、第１の乗算値と第２の乗算値とを加算した値（加算値）で、前記第１の乗算値を除算して第１の重み係数を算出する。また、当該重み係数調整部１４４は、前記加算値で、前記第２の乗算値を除算して第２の重み係数を算出する。すなわち、当該重み係数調整部１４４は、下記式（１４）によって第１の重み係数Ｗａ（ｉ，ｋ）を算出し、下記式（１５）によって第２の重み係数ｗｂ（ｉ，ｋ）を算出する。
【０１０１】
0003724501.tif 000015
【０１０２】
0003724501.tif 000016
【０１０３】
また、当該ダイバーシチ受信装置におけるブランチが２つの場合には、下記式（１６）および式（１７）を用いて第１の重み係数Ｗａ（ｉ，ｋ）または第２の重み係数ｗｂ（ｉ，ｋ）を算出することもできる。
【０１０４】
0003724501.tif 000017
【０１０５】
0003724501.tif 000018
【０１０６】
前記式（１６）および式（１７）を用いて、第１の重み係数Ｗａ（ｉ，ｋ）または第２の重み係数ｗｂ（ｉ，ｋ）を算出する場合には、例えば、図１０のように第１の重み係数算出部を構成することができる。
【０１０７】
図１０は、復調経路が２つの場合における第１の重み係数算出部１４５ｂの他の構成を示すブロック図である。図１０において、除算部１４６は、第１のブランチにおける第１の信頼性情報生成部１３ａから出力された第１の信頼性情報を、第２のブランチにおける信頼性情報生成部１３ｂから出力された第２の信頼性情報で除算して得られる除算値に対応する信号を乗算部１４７に出力する。
【０１０８】
乗算部１４７は、第２の推定値電力算出部８ｂから出力された第２の推定値情報と、前記除算部１４６において得られた除算値とを乗算して得られる乗算値に対応する信号を重み係数調整部１４８に出力する。
【０１０９】
重み係数調整部１４８は、前記乗算値と、第１の推定値電力算出部８ａから出力された第１の推定値情報とを加算する。そして、前記第１の推定値情報を、前記加算の結果得られる加算値で除算して第１の重み係数Ｗａ（ｉ，ｋ）を算出する。また、当該第１の重み係数Ｗａ（ｉ，ｋ）を１から減算して第２の重み係数ｗｂ（ｉ，ｋ）を算出する。
【０１１０】
また、以上の説明においては、前記重み係数調整部１４２、１４４、１４８が所定の演算を行なうように構成する場合について説明したが、除算部または乗算部等から入力される信号と重み係数とを対応付けたテーブルによって当該重み係数調整部１４２、１４４、１４８を構成することもできる。例えば、前記図８において説明した場合であれば、第１の除算部１４１ａから出力される第１の除算値、第２の除算部１４１ｂから出力される第２の除算値ならびに第ｎの除算部１４１ｎから出力される第ｎの除算値と、第１の重み係数Ｗａ（ｉ，ｋ）、第２の重み係数ｗｂ（ｉ，ｋ）ならびに第ｎの重み係数Ｗｃ（ｉ，ｋ）とを対応付けたテーブルで構成することができる。
【０１１１】
実施の形態２．
図１１は、実施の形態２における伝送路判定部１１ａ’の構成を示すブロック図である。なお、以下の説明において、前記実施の形態１におけるダイバーシチ受信装置と同様の構成については同一の符号を付記し、説明を省略する。
【０１１２】
図１１において、第１の電力和演算部１１６ａは、遅延プロファイル算出部１０ａで算出された遅延プロファイルにおいて所定の期間内に存在する到来波の電力値の和（第１の電力和ＳｕｍＰ１）を算出する。そして、当該第１の電力和に対応する信号を電力比算出部１１３ａに出力する。例えば、図１２に示すような遅延プロファイルが前記遅延プロファイル算出部１０ａにおいて算出された場合、当該第１の電力和演算部１１６ａは、当該図１２に示したｔ２を所定の期間として第１の電力和を算出する。なお、前記所定の期間は、当該ダイバーシチ受信装置の仕様、設計等に応じて任意に設定することができるが、所望到来波成分が当該所定の範囲に含まれるように設定する。
【０１１３】
一方、第２の電力和演算部１１７ａは、遅延プロファイル算出部１０ａで算出された遅延プロファイルにおいて前記所定の範囲外に存在する到来波成分の電力和（第２の電力和ＳｕｍＰ２）を算出する。そして、当該第２の電力和に対応する信号を電力比算出部１１３ａに出力する。例えば、前記図１２に示した遅延プロファイルの場合、当該第２の電力和演算部１１７ａは、有効シンボル長内であって、かつ前記所定の期間ｔ２外の領域における各到来波成分の電力和を算出する。
【０１１４】
電力比算出部１１３ａは、第１の電力和と第２の電力和との比（電力比）を算出して、当該電力比に対応する信号を伝送路歪みレベル判定部１１５ａに出力する。
【０１１５】
伝送路歪みレベル判定部１１５ａは、前記電力比算出部１１３ａにおいて算出された電力比に基づいて伝送路歪みのレベルを判定し、当該判定の結果を前記伝送路歪み情報として伝送路比較部１２に出力する。具体的には、前記電力比と、予め設定するしきい値（以下、伝送路判定しきい値ともいう）とを比較し、当該比較の結果に応じて伝送路ひずみのレベルを判定する。なお、前記伝送路判定しきい値は、当該ダイバーシチ受信装置の仕様、設計等に応じて任意に設定する。
【０１１６】
例えば、前記第２の電力和を前記第１の電力和で除算する場合（ＳｕｍＰ２／ＳｕｍＰ１）には、伝送路歪みが大きくなる（すなわち、不要到来波が多くなる）と前記第２の電力和の値が大きくなる。したがって、伝送路歪みが大きくなるにともなって電力比の値が大きくなる。
【０１１７】
そこで、当該伝送路歪みレベル判定部１１５ａにおける伝送路歪みのレベルの判定は、例えば、前記伝送路判定しきい値を伝送路歪みの大きさに応じて複数設定し、前記電力比算出部１１３ａから出力された電力比と、複数の伝送路判定しきい値とを比較して行なう。そして、当該伝送路歪みレベル判定部１１５ａは、前記電力比よりも大きく、かつ当該電力比に最も近い値である伝送路判定しきい値を伝送路歪情報として伝送路比較部１２に出力する。
【０１１８】
具体的に説明すると、例えば、図１３のように、当該伝送路歪みレベル判定部１１４ｂに、第１の伝送路判定しきい値Ｔｈ１、第２の伝送路判定しきい値Ｔｈ２、第３の伝送路判定しきい値Ｔｈ３および第４の伝送路判定しきい値Ｔｈ４の４つの伝送路判定しきい値を設定した場合において、前記電力比算出部１１３ｂから出力された電力比がｒｐであった場合、当該伝送路歪みレベル判定部１１４ｂは、第３の伝送路判定しきい値Ｔｈ３を前記伝送路歪み情報として伝送路比較部１２に出力する。
【０１１９】
なお、上述の説明においては、伝送路歪みのレベルを判定するに際して、電力比を使用する場合について説明したが、当該判定に際しては電力差を使用してもよい。例えば、前記第２の電力和から前記第１の電力和を減算する場合（ＳｕｍＰ２−ＳｕｍＰ１）には、伝送路歪みが大きくなると前記第２の電力和の値が大きくなることから減算の結果得られる電力差の値が大きくなる。したがって、電力差によって伝送路ひずみのレベルを判定する場合には、当該電力差よりも大きく、かつ当該電力比に最も近い値である伝送路判定しきい値を伝送路歪情報として伝送路比較部１２に出力するように当該伝送路歪み判定部１１５ａを構成すればよい。
【０１２０】
また、上述の説明においては、有効シンボル内において電力値が最大の到来波を所望到来波とし、その他の不要到来波として説明したが、当該有効シンボル内において電力値が最大の到来波、および当該電力値が最大の到来波を中心にして所定の到来時間差を持つ範囲に含まれる到来波を所望到来波とし、当該範囲に含まれない到来波を不要到来波として、伝送路歪情報を生成してもよい。
【０１２１】
前記図１１のように伝送路判定部１１ａ’を構成した場合、信頼性情報生成部は以下のようにして信頼性情報を生成する。なお、以下の説明においては、前記実施の形態１と同様に、ブランチが３つの場合について説明する。
【０１２２】
例えば、前記伝送路比較部１２において、第１のブランチに対応する伝送路歪みのレベルが最も大きく、第３のブランチに対応する伝送路歪みのレベルが最も小さいと判定された場合、当該伝送路比較部１２は、下記式（１８）に示すように、第１の伝送路歪み比較情報Ｄａ、第２の伝送路歪み比較情報Ｄｂ、第３の伝送路歪み比較情報Ｄｃを生成して各ブランチの信頼性情報生成部１３ａ，１３ｂ，１３ｃに出力する。
【０１２３】
0003724501.tif 000019
【０１２４】
なお、前記式（１８）において、ｄ１、ｄ２およびｄ３は下記式（１９）を満たすスカラー量であり、当該ｄ１、ｄ２およびｄ３の値はブランチの伝送路判定部から出力された伝送路歪み情報の相対的な大きさに応じて決定する。
【０１２５】
ｄ１＞ｄ２＞ｄ３      （１９）
【０１２６】
例えば、最も伝送路歪が小さい第３のブランチに対応する第３の伝送路歪み情報Ｄｃを基準とし、第２のブランチに対応する第２の伝送路歪み情報Ｄｂの値が前記第３の伝送路歪み情報Ｄｃの値の２倍であって、第１のブランチに対応する第１の伝送路歪み情報Ｄａの値が前記第３の伝送路歪み情報Ｄｃの値の３倍である場合には各伝送路歪み比較情報の値を、ｄ１＝３、ｄ２＝２、ｄ３＝１とする。
【０１２７】
そして各ブランチの信頼性情報生成部１３ａ，１３ｂ，１３ｃは、入力された雑音成分情報および伝送路歪み比較情報に基づいて信頼性情報を生成する。すなわち、第１のブランチの信頼性情報生成部１３ａ（第１の信頼性情報生成部１３ａ）は、前記第１の伝送路歪み比較情報Ｄａおよび前記第１の雑音成分情報Ｎａに基づいて第１の信頼性情報Ｒａを生成する。同様に、第２のブランチにおける信頼性情報生成部１３ｂ（第２の信頼性情報生成部１３ｂ）は、前記第２の伝送路歪み比較情報Ｄｂおよび前記第２の雑音成分情報Ｎｂに基づいて第２の信頼性情報Ｒｂを生成し、第３のブランチにおける信頼性情報生成部１３ｃ（第３の信頼性情報生成部１３ｃ）は、前記第３の伝送路歪み比較情報Ｄｃおよび前記第３の雑音成分情報Ｎｃに基づいて第３の信頼性情報Ｒｃを生成する。具体的には、下記式（２０）に示すように各信頼性情報が算出される。
【０１２８】
0003724501.tif 000020
【０１２９】
上述のように、前記雑音成分情報の値は、雑音成分が小さいほど小さい値となる。また、前記伝送路歪み情報の値は、伝送路歪みのレベルが小さいほど小さい値となる。すなわち、前記式（１９）によって算出される信頼性情報の値が小さい値であれば、当該信頼性情報に対応するブランチの復調信号の信頼性が高い。よって、上述の例の場合において、例えば、第１の雑音成分情報Ｎａの値、第２の雑音成分情報Ｎｂの値、第３の雑音成分情報Ｎｃの値の比が、Ｎａ：Ｎｂ：Ｎｃ＝３：２：１である場合には、Ｒａ：Ｒｂ：Ｒｃ＝９：４：１となる。すなわち、第１のブランチの復調信号の信頼性が最も低く、第３のブランチの復調信号の信頼性が最も高いことになる。
【０１３０】
以上の説明のように、実施の形態２におけるダイバーシチ受信装置によれば、ＣＮＲの影響を考慮して、復調信号を合成する際の合成比を算出することができる。さらに、伝送路歪みの影響、特に伝送路歪みのレベルを考慮して復調信号を合成する際の合成比を算出することができる。
【０１３１】
例えば、前記図１２に示した遅延プロファイルの場合、ガードインターバルｔ１外に不要到来波が存在しないため、シンボル間干渉は発生しない。一方、ガードインターバルｔ１内においては不要到来波が多数存在する。一般に、ガードインターバルｔ１内であっても、不要到来波が多数存在する場合には、伝送路歪みのレベルが高いと考えられる。したがって、ガードインターバル内であっても不要到来波がある場合には、当該不要到来波の影響を考慮することが望ましい。
【０１３２】
そして、当該実施の形態２における伝送路判定部１１ａ’においては、電力和の演算を、ガードインターバルｔ１よりも小さい所定の期間ｔ２において演算することによって、ガードインターバルｔ１内における不要到来波の影響を考慮することができる。すなわち、伝送路の歪みをより詳細に検出することができる。
【０１３３】
よって、実施の形態２におけるダイバーシチ受信装置によれば、前記ＣＮＲの影響および前記伝送路歪みの影響を考慮して最適な合成比を算出することができる。したがって、復調信号を合成することによる誤り率の増大を防止して、ダイバーシチ合成の効果を十分に得ることができる。すなわち、当該ダイバーシチ受信装置の受信性能を向上することができる。
【０１３４】
なお、実施の形態２において説明した伝送路判定部１１ａ’、および前記実施の形態１において説明した伝送路判定部１１ａを組み合わせて当該ダイバーシチ受信装置を構成することもできる。
【０１３５】
図１４は、実施の形態２において説明した伝送路判定部１１ａ’、および前記実施の形態１において説明した伝送路判定部１１ａを組み合わせた場合における構成を示すブロック図である。なお、図１４において、前記実施の形態１において説明した構成、および当該実施の形態２において説明した構成については同一の符号を付し、説明を省略する。また、当該図１４の説明においては、前記実施の形態１において説明した伝送路判定部１１ａを第１の伝送路判定部１１ａといい、実施の形態２において説明した伝送路判定部１１ａ’を第２の伝送路判定部１１ａ’という。
【０１３６】
図１４に示すように、第１の伝送路判定部１１ａ、および第２の伝送路判定部１１ａ’を組み合わせた場合には、各ブランチの遅延プロファイル算出部１０ａ，・・・，１０ｎと伝送路比較部１２との間に、当該第１の伝送路判定部１１ａ，・・・，１１ｎと第２の伝送路判定部１１ａ’，・・・，１１ｎ’とが並列に接続される。したがって、例えば、第１のブランチの遅延プロファイル算出部１０ａと伝送路比較部１２との間には、当該第１の伝送路判定部１１ａと第２の伝送路判定部１１ａ’とが並列に接続される。そして、当該図１４に示すようにダイバーシチ受信装置を構成した場合、伝送路比較部１２は以下のようにして伝送路歪み比較情報を生成する。なお、以下の説明においては、ダイバーシチ受信装置に３つのブランチを設ける場合について説明する。
【０１３７】
例えば、第１の復調経路における遅延プロファイル算出部において図１５（ａ）に示す遅延プロファイルが算出され、第２の復調経路における遅延プロファイル算出部において図１５（ｂ）に示す遅延プロファイルが算出され、第３の復調経路における遅延プロファイル算出部において図１５（ｃ）に示す遅延プロファイルが算出された場合について説明する。なお、図１５（ａ）〜（ｃ）において、ｔ１は伝送路判定部１１ａの第１の電力和算出部１１１ａにおいて電力和を算出する期間であるガードインターバル、ｔ２は伝送路判定部１１ａ’の第１の電力和算出部１１６ａにおいて電力和を算出する期間である所定の期間である。
【０１３８】
前記図１５（ａ）〜（ｃ）の場合、第１のブランチにおける第１の伝送路判定部１１ａのシンボル間干渉判定部１１４ａは、シンボル間干渉が発生していると判定し、第２のブランチにおける第１の伝送路判定部１１ｂのシンボル間干渉判定部１１４ｂ、および第３のブランチにおける第１の伝送路判定部１１ｃのシンボル間干渉判定部１１４ｃはシンボル間干渉が発生していないと判定する。そして、当該伝送路比較部１２は、各第１の伝送路判定部１１ａ，１１ｂ，１１ｃの判定に基づいて、例えば、下記式（２１）に示す第１の伝送路歪み比較情報Ｄａ１，Ｄｂ１，Ｄｃ１を生成する。
【０１３９】
0003724501.tif 000021
【０１４０】
また、前記図１５（ａ）〜（ｃ）の場合、第１のブランチにおける第２の伝送路判定部１１ａ’の伝送路歪レベル判定部１１５ａ、および第２のブランチにおける第２の伝送路判定部１１ｂ’の伝送路歪レベル判定部１１５ａは、同一の伝送路歪み情報（例えば、第２のしきい値Ｔｈ２）を出力する。また、第３のブランチにおける第２の伝送路判定部１１ｃ’の伝送路歪レベル判定部１１５ｃは、前記第２のしきい値Ｔｈ２よりも値の小さい伝送路歪み情報（例えば、第１のしきい値Ｔｈ１。ただし、Ｔｈ２＞Ｔｈ１）を出力する。そして、当該伝送路比較部１２は、各第２の伝送路判定部１１ａ’，１１ｂ’，１１ｃ’から出力された伝送路歪み情報に基づいて、例えば、下記式（２２）に示す第２の伝送路歪み比較情報Ｄａ２，Ｄｂ２，Ｄｃ２を生成する。
【０１４１】
0003724501.tif 000022
【０１４２】
当該伝送路比較部１２ｂは、前記第１の伝送路歪み比較情報と前記第２の伝送路歪み比較情報とを乗算して、下記式（２３）に示すように伝送路歪み比較情報Ｄａ，Ｄｂ，Ｄｃを算出する。そうすると、シンボル間干渉が発生しているブランチに対応する伝送路歪み比較情報の値が最も大きくなる。すなわち、シンボル間干渉が発生しているブランチに対応する伝送路歪みが最も大きいと判定される。
【０１４３】
0003724501.tif 000023
【０１４４】
上述のように、図１５（ａ）〜（ｃ）の場合に、第１の伝送路判定部１１ａのみを適用した場合には、前記式（２１）に示すように、図１５（ａ）の場合（第１のブランチ）に対応する伝送路歪み比較情報Ｄａ１と、図１５（ｃ）の場合（第３のブランチ）に対応する伝送路歪み比較情報Ｄｃ１とは同一の伝送路歪み比較情報となる。したがって、第１のブランチに対応する雑音成分情報の値と、第３のブランチに対応する雑音成分情報の値とが同一の値であって、第１のブランチに対応する推定値情報の値と、第３のブランチに対応する推定値情報の値とが同一の値である場合、第１のブランチの復調信号と、第３のブランチの復調信号とは同一の合成比で合成される。
【０１４５】
また、図１５（ａ）〜（ｃ）の場合に、第２の伝送路判定部１１ａ’のみを適用した場合には、前記式（２２）に示すように、図１５（ａ）の場合（第１のブランチ）に対応する伝送路歪み比較情報Ｄａ２と、図１５（ｂ）の場合（第２のブランチ）に対応する伝送路歪み比較情報Ｄｂ２とは同一の伝送路歪み比較情報となる。したがって、第１のブランチに対応する雑音成分情報の値と、第２のブランチに対応する雑音成分情報の値とが同一の値であって、第１のブランチに対応する推定値情報の値と、第２のブランチに対応する推定値情報の値とが同一の値である場合、第１のブランチの復調信号と、第２のブランチの復調信号とは同一の合成比で合成される。
【０１４６】
しかしながら、第１の伝送路判定部１１ａと第２の伝送路判定部１１ａ’とを組み合わせた場合には、前記式（２３）に示すように、第１のブランチに対応する伝送路歪み比較情報Ｄａ、第２のブランチに対応する伝送路歪み比較情報Ｄｂ、第３のブランチに対応する伝送路歪み比較情報Ｄｃはそれぞれ異なる値となる。したがって、各ブランチにおける雑音成分情報の値が同一の場合であって、かつ推定値情報の値が同一の値である場合であっても、第１のブランチの復調信号、第２のブランチの復調信号、第３のブランチの復調信号はそれぞれ異なる合成比で合成される。
【０１４７】
すなわち、前記図１４のように、第１の伝送路判定部１１ａと第２の伝送路判定部１１ａ’とを組み合わせた場合には、伝送路歪みをより詳細に検出することができる。したがって、伝送路歪みに応じて、より的確な合成比を算出することが可能となる。
【０１４８】
実施の形態３．
実施の形態１および実施の形態２においては、パイロット信号に基づいて雑音電力を算出するように雑音電力算出部９ａを構成する場合について説明した。しかしながら、雑音電力は、パイロット信号だけではなく、ＢＰＳＫ変調方式またはＤＢＰＳＫ変調方式によって変調された、パイロット信号以外の搬送波に対応する復調信号から算出することもできる。例えば、ＯＦＤＭ信号に含まれる搬送波のうち、特定の搬送波に対してＢＰＳＫ変調方式またはＤＢＰＳＫ変調方式によって変調を行なって、伝送パラメータなどの所定の情報を送信する場合がある。
【０１４９】
前記伝送パラメータ等を送信する信号は、ダイバーシチ受信装置において既知の信号ではない。しかしながら、前記特定の搬送波の位置は当該ダイバーシチ受信装置において既知であり、また、当該信号は２値のデジタル変調信号である。そのため、当該信号に基づいて、雑音成分情報の算出を行なうことができる。なお、当該信号に基づいて得られる雑音成分情報は、近似的なものである。
【０１５０】
図１６は、実施の形態３における雑音電力算出部９ａ’の構成を示すブロック図である。なお、以下の説明において、実施の形態１または実施の形態２において説明した構成については同一の符号を付し、説明を省略する。
【０１５１】
２値変調信号抽出部９４ａは、前記特定の搬送波に対応する復調信号（以下、２値復調信号ともいう）を前記搬送波復調部７ａから出力された復調信号から抽出して硬判定部９５ａおよび差分信号算出部９６ａに出力する。
【０１５２】
硬判定部９５ａは、前記２値復調信号に対して硬判定を行ない、当該硬判定の結果に対応する信号を差分信号算出部９６ａに出力する。すなわち、当該２値復調信号の信号点がコンスタレーション上においてＩ成分を有する場合に、当該２値復調信号のＩ成分が正であるか、または負であるかを判定して信号点に対して硬判定を行なう。例えば、２値復調信号を下記式（２４）のように表した場合であって、当該式（２４）における実部、すなわちＩ成分が正である場合、硬判定部９５ａにおける硬判定の結果は下記式（２５）のように表すことができる。一方、当該式（２４）における実部が負である場合、硬判定部９５における硬判定の結果は下記式（２６）のように表すことができる。なお、下記式（２５）および式（２６）におけるｃｂｉｎは前記Ｉ成分の大きさである。
【０１５３】
0003724501.tif 000024
【０１５４】
0003724501.tif 000025
【０１５５】
0003724501.tif 000026
【０１５６】
差分信号算出部９６ａは、前記２値変調信号抽出部９４ａから出力された前記２値変調信号、および前記硬判定部９５ａにおける硬判定の結果に基づいて、下記式（２７）に示す演算を行なう。すなわち、前記２値変調信号の電力と、前記硬判定部９５ａにおける硬判定の結果に対応する電力との差分（以下、電力差分値ともいう）を算出する。そして、当該差分信号算出部９６ａは、前記電力差分値に対応する信号を差分値平均部９７ａに出力する。
【０１５７】
0003724501.tif 000027
【０１５８】
差分値平均部９７ａは、所定の期間内に前記差分信号算出部９６ａから出力された前記電力差分値の平均値を算出する。そして、当該平均値を前記雑音成分情報として第１の信頼性情報生成部１３ａに出力する。すなわち、当該差分値平均部９７ａから出力される信号は平均化された雑音電力の近似値に比例する信号となる。
【０１５９】
以上の説明のように、実施の形態３において説明した雑音電力算出部９ａ’によれば、パイロット信号以外の信号、例えば、伝送パラメータ等を送信する信号に基づいて雑音成分情報を生成することができる。よって、ダイバーシチ受信装置に当該雑音電力算出部９ａ’を適用することによって、雑音成分の影響を考慮して、復調信号の合成をすることができる。したがって、当該ダイバーシチ受信装置の受信性能を向上することができる。
【０１６０】
なお、以上の説明においては、ＢＰＳＫ変調方式またはＤＢＰＳＫ変調方式によって２値変調された信号を使用する場合について説明したが、パイロット信号および２値変調信号の両方を使用して雑音成分情報を生成するようにしてもよい。
【０１６１】
そして、パイロット信号および２値変調信号の両方を使用した場合には、例えば、パイロット信号に基づいて生成された雑音成分情報（以下、第１の雑音成分情報ともいう）と、２値変調信号に基づいて生成された雑音成分情報（以下、第２の雑音成分情報ともいう）とを比較する比較手段（図示せず）を雑音電力算出部の後段に設けることによって、第１の雑音成分情報および第２の雑音成分情報の正確さの判定を行なうことができる。
【０１６２】
前記比較手段による判定は、例えば、前記第１の雑音成分情報に対応する電力値と、第２の雑音成分情報に対応する電力値との差分を所定のしきい値と比較し、当該しきい値よりも前記差分が小さい場合には、生成された第１の雑音成分情報および第２の雑音成分情報が正確であると判定し、当該しきい値よりも前記差分が大きい場合には、生成された第１の雑音成分情報および第２の雑音成分情報が正確でないと判定することにより行なうことができる。そして、当該判定に基づいて復調信号の合成比を算出すれば、雑音成分情報の正確さに応じて、ダイバーシチ合成を行なうことができる。
【０１６３】
なお、当該実施の形態３において説明した雑音電力算出部９ａ’は、実施の形態１または実施の形態２において説明したダイバーシチ受信装置に適用することができる。すなわち、実施の形態２において説明したダイバーシチ受信装置における雑音電力算出部９ａを当該実施の形態３の雑音電力算出部９ａ’に置き換えてダイバーシチ受信装置を構成することができる。
【０１６４】
また、同様に、上述した比較手段による雑音成分情報の正確さの判定を実施の形態１または実施の形態２において説明したダイバーシチ受信装置に適用することもできる。
【０１６５】
実施の形態４． 
実施の形態１〜３においては、各ブランチの雑音成分情報、遅延プロファイルおよび推定値情報に基づいて合成比を算出する場合について説明した。以下、実施の形態４においては、前記雑音成分情報、各ブランチの受信信号の電力値に対応する情報、および前記推定値情報に基づいて合成比を算出する場合について説明する。
【０１６６】
まず、前記各ブランチの受信信号の電力値に対応する情報を使用する理由について説明する。あるブランチに対応する受信信号の電力値が、他のブランチに対応する受信信号の電力値に対して著しく低い場合に、当該電力値が低い受信信号を使用してダイバーシチ合成を行なうと、合成を行なった後に得られる復調信号の誤り率が増大する場合がある。
【０１６７】
例えば、ブランチの数が２つのダイバーシチ受信装置において、一方のブランチ（以下、第１のブランチともいう）で受信信号が得られ（すなわち、ＯＦＤＭ信号を受信し）、他方のブランチ（以下、第２のブランチともいう）では受信信号が得られない場合には、第２のブランチの復調信号をダイバーシチ合成に使用せずに、第１のブランチの復調信号をダイバーシチ合成後の復調信号として出力する必要がある。すなわち、第１のブランチの復調信号と第２のブランチの復調信号とを合成する際の合成比を１：０とする必要がある。
【０１６８】
しかしながら、前記自動利得調整部３ａにおいては、受信信号の電力値が著しく低い場合においても、受信信号を所定の電力値に調整する。そのため、当該調整後の信号に基づいて合成比の算出を行なった場合、当該合成比が前記受信信号の電力値に応じた合成比とならない場合がある。例えば、上述したような、２つのブランチを設けたダイバーシチ受信装置の場合において、合成比が１：０とならない場合がある。
【０１６９】
そのため、実施の形態４のダイバーシチ受信装置においては、前記受信信号の電力値に応じた合成比を算出すべく、前記各ブランチの受信信号の電力値に対応する情報を使用する。
【０１７０】
図１７は、実施の形態４におけるダイバーシチ受信装置の構成を示すブロック図である。なお、以下の説明において、前記実施の形態１〜３において説明した構成と同様の構成については同一の符号を付記し、説明を省略する。また、以下の説明においては、当該ダイバーシチ受信装置における複数のブランチに共通する構成については、第１のブランチの構成（符号ａが付された構成）のみについて説明する。
【０１７１】
図１７において、利得設定部４ａは、前記利得設定信号を比較部１６に出力する。なお、比較部１６は、当該ダイバーシチ受信装置における全てのブランチの利得設定部４ａ，４ｂ，・・・４ｎから前記利得設定信号が入力される。
【０１７２】
比較部１６は、入力された利得設定信号を比較して、各ブランチに対応する利得設定信号の電力値と、当該ブランチ以外の全てのブランチの利得設定信号との相対的な大きさを算出する。そして、当該算出の結果得られる、各利得設定信号の電力値の相対的な大きさを示す情報（以下、受信信号レベル情報ともいう）に対応する信号を各ブランチにおける信頼性情報生成部１７ａ，・・・，１７ｎに出力する。なお、上述したように、前記利得設定部４ａから出力される利得設定信号は前記自動利得調整部３ａにおけるゲインを設定する信号である。すなわち、前記利得設定信号の電力値は、受信信号の電力値に応じた信号レベルとなる。したがって、当該比較部１６において前記利得設定信号の比較を行なうことによって、前記受信信号の電力値の比較を行なうことができる。なお、以下の説明においては、当該比較部１６ａから出力される信号をゲイン比較信号ともいう。
【０１７３】
以下、当該比較部１６における前記受信信号レベル情報の生成について具体的に説明する。例えば、ダイバーシチ受信装置に、第１のブランチ、第２のブランチおよび第３のブランチの３つのブランチを設ける場合、当該比較部１６には、前記第１のブランチにおける利得設定部４ａ（以下、第１の利得設定部４ａともいう）から出力された利得設定信号（以下、第１の利得設定信号ともいう）、前記第２のブランチにおける利得設定部４ｂ（以下、第２の利得設定部４ｂともいう）から出力された利得設定信号（以下、第２の利得設定信号ともいう）、および前記第３のブランチにおける利得設定部４ｃ（以下、第３の利得設定部４ｃともいう）から出力された利得設定信号（以下、第３の利得設定信号ともいう）の３つの利得設定信号が入力される。
【０１７４】
そして、比較部１６は、前記第１の利得設定信号の電力値（以下、第１の電力値ともいう。）、前記第２の利得設定信号の電力値（以下、第２の電力値ともいう。）、または前記第３の利得設定信号の電力値（以下、第３の電力値ともいう。）のうち、最大の電力値に応じて、しきい値を設定する。また、当該比較部１６は、最大の電力値と、他の電力値との比（電力比）を算出する。なお、以下の説明においては、最大の電力値を、他の電力値で除算して電力比を算出する場合について説明する。
【０１７５】
したがって、例えば、前記第１の電力値が最大である場合、当該比較部１６は、第１の電力値を第２の電力値で除算して第１の電力比を算出し、また、前記第１の電力値を第３の電力値で除算して第２の電力比を算出する。そして、比較部１６は、第１のゲイン比較信号を第１のブランチにおける第１の信頼性情報生成部１７ａに出力する。また、前記第１の電力比を前記しきい値と比較し、当該比較の結果に対応する信号（第２のゲイン比較信号）を第２のブランチにおける第２の信頼性情報生成部１７ｂに出力する。さらに、前記第２の電力比と前記しきい値とを比較し、当該比較の結果に対応する信号（第３のゲイン比較信号）を第３のブランチにおける第３の信頼性情報生成部１７ｃに出力する。具体的には、下記式（２８）に示すような受信信号レベル情報に対応するゲイン比較信号を各信頼性情報生成部１７ａ，・・・，１７ｃに出力する。
【０１７６】
0003724501.tif 000028
【０１７７】
なお、前記式（２８）において、Ｇａは第１のゲイン比較信号に対応する受信信号レベル情報（以下、第１の受信信号レベル情報）、Ｇｂは第２のゲイン比較信号に対応する受信信号レベル情報（以下、第２の受信信号レベル情報）、Ｇｃは第３のゲイン比較信号に対応する受信信号レベル情報（以下、第３の受信信号レベル情報）である。また、前記式（２８）においてｆおよびｆlowは下記式（２９）を満たすスカラー量であり、下記式（２９）に示すように、ｆはｆlowに比べて十分小さい値である。具体的には、例えば、ｆ＝1、ｆlow＝１００、またはｆ＝1、ｆlow＝１０００のように設定することができる。
【０１７８】
0003724501.tif 000029
【０１７９】
各ブランチにおける信頼性情報生成部１７ａ，１７ｂ，１７ｃ，は、当該各ブランチに対応し、前記ゲイン比較部１６において生成された前記受信信号レベル情報、および各ブランチの推定値電力算出部８ａ，８ｂ，８ｃにおいて生成された雑音成分情報に基づいて、各ブランチの復調信号の信頼性を示す信頼性情報を生成し、当該信頼性情報に対応する信号を第１の重み係数算出部１４に出力する。
【０１８０】
例えば、ダイバーシチ受信装置に３つのブランチを設ける場合、第１のブランチにおける信頼性情報生成部１７ａ（以下、第１の信頼性情報生成部１７ａともいう）は、下記式（３０）の演算を行なって第１の信頼性情報Ｒａを生成し、当該第１の信頼性情報Ｒａに対応する信号を第１の重み係数算出部１４に出力する。
【０１８１】
0003724501.tif 000030
【０１８２】
また、第２のブランチにおける信頼性情報生成部１７ｂ（以下、第２の信頼性情報生成部１７ｂともいう）は、下記式（３１）の演算を行なって第２の信頼性情報Ｒｂを生成し、当該第２の信頼性情報Ｒｂに対応する信号を第１の重み係数算出部１４に出力する。同様に、第３のブランチにおける信頼性情報生成部１７ｃ（以下、第３の信頼性情報生成部１７ｃともいう）は、下記式（３２）の演算を行なって第３の信頼性情報Ｒｃを生成し、当該第３の信頼性情報Ｒｃに対応する信号を第１の重み係数算出部１４に出力する。
【０１８３】
0003724501.tif 000031
【０１８４】
なお、前記式（３０）〜（３２）において、Ｎａは第１のブランチにおける雑音電力算出部９ａから出力された雑音成分情報、Ｎｂは第２のブランチにおける雑音電力算出部９ｂから出力された雑音成分情報、Ｎｃは第３のブランチにおける雑音電力算出部９ｃから出力された雑音成分情報である。また、各ブランチにおける信頼性情報生成部１７ａ，１７ｂ，１７ｃにおいて生成される信頼性情報に対応する値が小さいほど信頼性が高い。
【０１８５】
前記第１の重み係数算出部１４は、前記実施の形態１において説明したように、各ブランチの信頼性情報生成部１７ａ，１７ｂ，１７ｃにおいて生成された信頼性情報に基づいて重み係数を算出する。
【０１８６】
以上の説明のように、実施の形態２おけるダイバーシチ受信装置によれば、各ブランチにおける受信信号の電力値に応じて合成比を算出することができる。よって、自動利得調整部３ａ，・・・，３ｎによって信号レベルを調整する場合においても的確に合成比を算出することができる。
【０１８７】
また、各ブランチの受信信号における雑音成分に応じて合成比を算出することができる。すなわち、各ブランチにおける受信信号の信号レベル、および雑音成分に応じて、搬送波毎に、復調信号の合成を行なうことができる。したがって、当該ダイバーシチ受信装置の受信性能を向上することができる。
【０１８８】
なお、以上の説明においては、当該ダイバーシチ受信装置に３つのブランチを設ける場合について説明したが、４つ以上のブランチを設ける場合における比較部１６の動作は同様である。また、２つのブランチを設ける場合、比較部１６は以下のように動作する。
【０１８９】
すなわち、各ブランチから出力された利得設定信号の電力値のうち、大きい電力値を小さい電力値で除算して電力比を算出して、当該電力比と所定のしきい値との比較を行なう。そして、当該比較の結果に応じて各ブランチにゲイン比較信号を出力する。なお、前記所定のしきい値は、予め設定した固定の値でもよいし、上述した３つのブランチを設ける場合と同様に、各ブランチから出力されたゲイン比較信号に応じて適応的に設定してもよい。
【０１９０】
なお、以上の説明においては、前記式（２９）に示したように、ｆおよびｆlowを設定することによって、受信信号の電力値が小さいブランチから出力された復調信号に対する重み係数が、受信信号の電力値が大きいブランチから出力された復調信号に対する重み係数に比べて非常に小さくなるようにする場合について説明したが、受信信号の電力値に応じて、すなわち、各利得設定部４ａ，・・・，４ｎから出力された利得設定信号に対応する電力値の大きさに応じて受信信号レベル情報を生成することによって重み係数を適応的に算出するようにしてもよい。例えば、ゲイン比較部１６に複数のしきい値を設定し、前記電力比と当該複数のしきい値とを比較して、前記電力比よりも大きく、かつ当該電力比に最も近い値であるしきい値を受信信号レベル情報として各ブランチの信頼性情報生成部に出力するようにしてもよい。なお、上述のように、各利得設定部４ａ，・・・，４ｎから出力された利得設定信号に対応する電力値の大きさに応じて受信信号レベル情報を生成する場合においては、各利得設定部４ａ，・・・，４ｎから出力された利得設定信号に対応する電力値が小さいほど（すなわち、受信信号の電力値が大きいほど）、当該比較部１６から出力される受信信号レベル情報の値が小さくなる。
【０１９１】
また、以上の説明においては、電力比としきい値とを比較して受信信号レベル情報を生成する場合について説明したが、当該電力比に代えて電力差としきい値とを比較して受信信号レベル情報を生成してもよい。なお、前記電力差は、例えば、最大の電力値から他の電力値を減算して算出することができる。
【０１９２】
また、実施の形態２において説明した伝送路判定部１１ａ’を実施の形態４におけるダイバーシチ受信装置に適用することもできる。また、実施の形態３において説明した雑音電力算出部９ａ’を実施の形態４におけるダイバーシチ受信装置に適用してもよい。
【０１９３】
実施の形態５．
前記実施の形態４においては、各ブランチの雑音成分情報、受信信号レベル情報および推定値情報に基づいて、合成比を算出する場合について説明した。実施の形態５においては、各ブランチの受信信号レベル情報、伝送路歪み情報および推定値情報に基づいて、合成比を算出する場合について説明する。
【０１９４】
前記図７において説明したように、各ブランチにおいて受信された受信信号の電力値は、所望到来波に対応する電力値および不要到来波に対応する電力値を含む。そのため、より的確な合成比の算出をするに際しては、受信信号の電力値等のほか、不要到来波の電力値の影響を考慮する必要がある。そこで、実施の形態５におけるダイバーシチ受信装置においては、各ブランチの受信信号レベル情報、伝送路歪み情報および推定値情報に基づいて、搬送波ごとの合成比を算出する。
【０１９５】
図１８は、実施の形態５におけるダイバーシチ受信装置の構成を示すブロック図である。なお、以下の説明において、実施の形態１〜４において説明した構成と同様の構成については同一の符号を付記し、説明を省略する。
【０１９６】
図１８において、比較部１６は、各ブランチの信頼性情報生成部１８ａ，・・・，１８ｎに受信信号レベル情報に対応するゲイン比較信号を出力する。また、伝送路比較部１２は、各ブランチの信頼性情報生成部１８ａ，・・・，１８ｎに伝送路歪み情報に対応する信号を出力する。そして、各ブランチの信頼性情報生成部１８ａ，・・・，１８ｎは、前記受信信号レベル情報および前記伝送路歪み情報に対応する信号に基づいて、信頼性情報を生成する。
【０１９７】
例えば、ダイバーシチ受信装置に、第１のブランチ、第２のブランチおよび第３のブランチの３つのブランチを設ける場合、第１のブランチの第１の信頼性情報生成部１８ａは、比較部１６において生成され、当該第１のブランチに対応する第１の受信信号レベル情報Ｇａ、および伝送路比較部１２において生成され、当該第１のブランチに対応する第１の伝送路歪み比較情報Ｄａに基づいて第１の信頼性情報Ｒａを生成する。具体的には、下記式（３３）の演算を行なう。
【０１９８】
0003724501.tif 000032
【０１９９】
また、第２のブランチの第２の信頼性情報生成部１８ｂは、比較部１６において生成され、当該第２のブランチに対応する第２の受信信号レベル情報Ｇｂ、および伝送路比較部１２において生成され、当該第２のブランチに対応する第２の伝送路歪み比較情報Ｄｂに基づいて下記式（３４）に示す演算を行なって第２の信頼性情報Ｒｂを生成する。同様に、第３のブランチの第３の信頼性情報生成部１８ｃは、比較部１６において生成され、当該第３のブランチに対応する第３の受信信号レベル情報Ｇｃ、および伝送路比較部１２において生成され、当該第３のブランチに対応する第３の伝送路歪み比較情報Ｄｃに基づいて下記式（３５）に示す演算を行なって第３の信頼性情報Ｒｃを生成する。
【０２００】
0003724501.tif 000033
【０２０１】
0003724501.tif 000034
【０２０２】
なお、実施の形態１〜４において説明したように、受信信号レベル情報の値は各ブランチにおける受信信号の電力値が大きい場合に小さくなり、伝送路歪み比較情報の値は各ブランチに対応する伝送路の歪みが小さい場合に小さくなる。したがって、前記式（３３）〜（３５）に示した演算によって算出される信頼性情報の値が小さいほど、各ブランチの復調信号の信頼性が高い。
【０２０３】
以上の説明のように、実施の形態５におけるダイバーシチ受信装置によれば、各ブランチにおける受信信号の電力値に応じて合成比を算出することができる。よって、自動利得調整部３ａ，３ｂ，・・・，３ｃによって電力値を調整する場合においても的確に合成比を算出することができる。
【０２０４】
また、各ブランチに対応する伝送路歪みに応じて合成比を算出することができる。すなわち、各ブランチにおける受信信号の信号レベル、および伝送路歪みに応じて、搬送波毎に、復調信号の合成を行なうことができる。したがって、当該ダイバーシチ受信装置の受信性能を向上することができる。
【０２０５】
なお、実施の形態２において説明した伝送路判定部１１ａ’を当該実施の形態５におけるダイバーシチ受信装置に適用することもできる。また、実施の形態３において説明した雑音電力算出部９ａ’を当該実施の形態５におけるダイバーシチ受信装置に適用してもよい。
【０２０６】
実施の形態６．
実施の形態５においては、各ブランチの受信信号レベル情報、伝送路歪み情報および推定値情報に基づいて、搬送波毎の合成比を算出する場合について説明した。実施の形態６においては、各ブランチの受信信号レベル情報、伝送路歪み比較情報および推定値情報に基づいて、搬送波毎の合成比を算出する場合について説明する。
【０２０７】
図１９は、実施の形態６におけるダイバーシチ受信装置の構成を示すブロック図である。なお、以下の説明においては、前記実施の形態１〜５において説明した構成と同様の構成については同一の符号を付記し、説明を省略する。
【０２０８】
図１９において、比較部１６は、各ブランチの信頼性情報生成部１９ａ，・・・，１９ｎに受信信号レベル情報に対応するゲイン比較信号を出力する。また、伝送路比較部１２は、各ブランチの信頼性情報生成部１９ａ，・・・，１９ｎに伝送路歪み情報に対応する信号を出力する。さらに、各ブランチの雑音電力算出部９ａ，・・・，９ｎは、雑音成分情報を生成して、当該雑音成分情報に対応する信号を当該ブランチの信頼性情報生成部１９ａ，・・・，１９ｎに出力する。そして、各ブランチの信頼性情報生成部１９ａ，・・・，１９ｎは、前記受信信号レベル情報、前記伝送路歪み情報および前記雑音成分情報に基づいて、信頼性情報を生成する。
【０２０９】
例えば、当該ダイバーシチ受信装置に、第１のブランチ、第２のブランチおよび第３のブランチの３つのブランチを設ける場合、第１のブランチの第１の信頼性情報生成部１９ａは、比較部１６において生成され、当該第１のブランチに対応する第１の受信信号レベル情報Ｇａと、伝送路比較部１２において生成され、当該第１のブランチに対応する第１の伝送路歪み比較情報Ｄａと、当該第１のブランチにおける雑音電力算出部９ａにおいて生成された第１の雑音成分情報とに基づいて第１の信頼性情報Ｒａを生成する。具体的には、下記式（３６）の演算を行なう。
【０２１０】
0003724501.tif 000035
【０２１１】
また、第２のブランチの信頼性情報生成部１９ｂは、比較部１６において生成され、当該第２のブランチに対応する第２の受信信号レベル情報Ｇｂと、伝送路比較部１２において生成され、当該第２のブランチに対応する第２の伝送路歪み比較情報Ｄｂと、当該第２のブランチにおける雑音電力算出部９ｂにおいて生成された第２の雑音成分情報とに基づいて下記式（３７）に示す演算を行なって第２の信頼性情報Ｒｂを生成する。同様に、第３のブランチの信頼性情報生成部１９ｃは、比較部１６において生成され、当該第３のブランチに対応する第３の受信信号レベル情報Ｇｂと、伝送路比較部１２において生成され、当該第３のブランチに対応する第３の伝送路歪み比較情報Ｄｂと、当該第３のブランチにおける雑音電力算出部９ｃにおいて生成された第３の雑音成分情報とに基づいて下記式（３８）に示す演算を行なって第３の信頼性情報Ｒｃを生成する。
【０２１２】
0003724501.tif 000036
【０２１３】
0003724501.tif 000037
【０２１４】
なお、実施の形態１〜５において説明したように、受信信号レベル情報の値は各ブランチにおける受信信号の電力値が大きい場合に小さくなり、伝送路歪み比較情報の値は各ブランチに対応する伝送路の歪みが小さい場合に小さくなる。また、雑音成分情報の値は、雑音成分が小さい場合に小さくなる。したがって、前記式（３６）〜（３８）に示す演算によって算出される信頼性情報の値が小さいほど、各ブランチの復調信号の信頼性が高い。
【０２１５】
以上の説明のように、実施の形態６におけるダイバーシチ受信装置によれば、各ブランチにおける受信信号の電力値に応じて合成比を算出することができる。よって、自動利得調整部３ａ，３ｂ，・・・，３ｎによって受信信号の電力値を調整する場合においても的確に合成比を算出することができる。
【０２１６】
また、各ブランチに対応する伝送路歪みに応じて合成比を算出することができる。さらに、各ブランチの受信信号に含まれる雑音成分に応じて合成比を算出することができる。すなわち、各ブランチにおける受信信号の信号レベル、伝送路歪みおよび雑音成分に応じて、搬送波毎に、復調信号の合成を行なうことができる。したがって、当該ダイバーシチ受信装置の受信性能を向上することができる。
【０２１７】
なお、実施の形態２において説明した伝送路判定部１１ａ’を当該実施の形態６におけるダイバーシチ受信装置に適用することもできる。また、実施の形態３において説明した雑音電力算出部９ａ’を当該実施の形態６におけるダイバーシチ受信装置に適用してもよい。
【０２１８】
実施の形態７．
実施の形態１〜６においては、推定値情報および信頼性情報に基づいて重み係数を算出する場合について説明した。実施の形態７においては、最大比合成ダイバーシチと選択合成ダイバーシチとを適応的に切り換えることができるダイバーシチ受信装置について説明する。
【０２１９】
当該ダイバーシチ受信装置に複数のブランチを設けてダイバーシチ合成を行なう場合、いずれか１つのブランチの復調信号の信頼性が高く、その他のブランチの復調信号の信頼性が前記１つのブランチの復調信号の信頼性よりも著しく低い場合には、最大比合成ダイバーシチを行なうのではなく、前記１つのブランチの復調信号を当該ダイバーシチ受信装置の復調信号として選択する選択合成ダイバーシチを行なう方が、最終的に当該ダイバーシチ受信装置から出力される復調信号の誤り率が少ない場合がある。そのため、実施の形態７のダイバーシチ受信装置においては最大比合成ダイバーシチと選択合成ダイバーシチとを適応的に選択する。
【０２２０】
図２０は、実施の形態７におけるダイバーシチ受信装置の構成を示すブロック図である。なお、図２０において、実施の形態１〜６において説明したダイバーシチ受信装置の構成と同様の構成については同一の符号を付記し、説明を省略する。また、以下の説明においては、当該ダイバーシチ受信装置に２つのブランチを設ける場合について説明する。なお、以下の説明においては前記２つのブランチのうち、一方のブランチを第１のブランチといい、他方のブランチを第２のブランチという。
【０２２１】
図２０において、第２の重み係数算出部２０は、各ブランチの信頼性情報生成部１９ａ１９ｂにおいて生成された信頼性情報、推定値電力算出部８ａ，８ｂにおいて生成された推定値情報、および所定のしきい値（以下、選択合成しきい値ともいう）に基づいて重み係数を算出する。具体的には、第１のブランチおよび第２のブランチの各々に対し、信頼性情報および推定値情報に基づいて算出される値の比または差が前記選択合成しきい値よりも大きい場合には選択合成ダイバーシチを行なうように重み係数を算出する。
【０２２２】
一方、前記比または差が前記選択合成しきい値よりも小さい場合には、前記実施の形態１〜７における第１の重み係数算出部１４と同様に、最大比合成ダイバーシチを行なうように前記重み係数を算出する。なお、選択合成ダイバーシチを行なうように重み係数を算出する際には、信頼性が高い（すなわち、信頼性情報の値が小さい）復調信号に対する重み係数を１とする。また、前記選択合成しきい値は、当該ダイバーシチ受信装置のＨ／Ｗ構成、仕様または設計に応じて任意に設定する。
【０２２３】
図２１は、第２の重み係数算出部２０の構成を示すブロック図である。図２１において、第１の乗算部１４３ａは、第１のブランチの推定値電力算出部８ａにおいて生成された第１の推定値情報と、第２のブランチにおける信頼性情報生成部１９ｂにおいて生成された第２の信頼性情報とを乗算した結果に対応する信号をマスク判定部２０１および重み係数調整部２０２に出力する。また、第２の乗算部１４３ｂは、第２のブランチの推定値電力算出部８ｂにおいて生成された第２の推定値情報と、第１のブランチにおける信頼性情報生成部１９ａにおいて生成された第１の信頼性情報とを乗算した結果に対応する信号をマスク判定部２０１および重み係数調整部２０２に出力する。
【０２２４】
マスク判定部２０１は、第１の乗算部１４３ａにおける乗算の結果と、第２の乗算部１４３ｂにおける乗算の結果とを比較して、当該乗算結果の比を算出する。なお、実施の形態７のマスク判定部２０１においては、値が大きい乗算結果を値が小さい乗算結果で除算して当該比を算出する。
【０２２５】
また、当該マスク判定部２０１は、前記除算の結果得られる比と、前記選択合成しきい値とを比較し、当該比が前記選択合成しきい値よりも大きい場合には、前記乗算結果が大きい推定値情報に対応するブランチの復調信号に対する重み係数を１とする旨の信号を重み係数調整部２０２に出力する。すなわち、信頼性の高い復調信号を選択する選択合成ダイバーシチを行なう旨の信号を重み係数調整部２０２に出力する。
【０２２６】
例えば、前記比が選択合成しきい値よりも大きく、かつ第１のブランチに対応する復調信号の信頼性が高い場合、第１の乗算部１４３ａにおける乗算結果が乗算部１４３ｂにおける乗算結果よりも大きくなる。信頼性の高い復調信号に対応する信頼性情報の値が小さいためである。したがって、上述の場合、マスク判定部２０１は、第１のブランチの復調信号に対する重み係数を１とし、第２のブランチに対する重み係数を０とするように、重み係数調整部２０２に信号を出力する。
【０２２７】
一方、前記比が前記選択合成しきい値よりも小さい場合には、前記実施の形態１〜６において説明した重み係数調整部と同様にして、各ブランチの復調信号に対する重み係数を算出する旨の信号を重み係数調整部２０２に出力する。すなわち、最大比合成ダイバーシチを行なう旨の信号を重み係数調整部２０２に出力する。
【０２２８】
重み係数調整部２０２は、前記マスク判定部２０１から出力された信号に応じて、各ブランチの復調信号に対する重み係数を算出する。すなわち、前記マスク判定部２０１から選択合成ダイバーシチを行なう旨の信号が出力された場合には、信頼性情報および推定値情報に基づいて算出される値が大きい前記推定値情報に対応するブランチの復調信号に対する重み係数を１とする。また、前記マスク判定部２０１から最大比合成ダイバーシチを行なう旨の信号が出力された場合には、前記式（１４）等に示した演算を行なって各ブランチの復調信号に対する重み係数を算出する。
【０２２９】
合成部１５は、前記重み係数調整部２０２において算出された重み係数に基づいて、各ブランチから出力された復調信号の合成を行なう。
【０２３０】
以上の説明のように、実施の形態７におけるダイバーシチ受信装置によれば、最大比合成ダイバーシチと選択合成ダイバーシチとを適応的に切り替えて復調信号の合成を行なうことができる。よって、いずれか１つのブランチの復調信号の信頼性が高く、その他のブランチの復調信号の信頼性が前記１つのブランチの復調信号の信頼性よりも著しく低い場合に、最大比合成ダイバーシチを行なうことによって生じる誤り率の増加を防止することができる。したがって、ダイバーシチ受信装置の受信性能を向上することができる。
【０２３１】
なお、以上の説明においては、図２０に示したように、前記実施の形態６において説明した図１９に記載のダイバーシチ受信装置における第１の重み係数算出部１４を第２の重み係数算出部２０に置き換えて構成する場合について示したが、実施の形態１〜６において説明したダイバーシチ受信装置における第１の重み係数算出部１４を前記第２の重み係数算出部２０とすることもできる。
【０２３２】
また、以上の説明においては、前記マスク判定部２０１において、乗算結果の比を算出する場合について説明したが、乗算結果の差を算出して、当該差と前記選択合成しきい値との比較を行なうように構成することもできる。
【０２３３】
また、以上の説明においては、ダイバーシチ受信装置に２つのブランチを設ける場合について説明したが、３つ以上のブランチを設ける場合においては、前記図８に示した重み係数算出部１４にマスク判定部２０１を設け、当該マスク判定部２０１において重み係数を制御するように構成すればよい。したがって例えば、以下のように重み係数調整部を構成することができる。
【０２３４】
図２２は、重み係数算出部の他の構成を示すブロック図である。図２０にしめすように、各除算部１４１ａ，１４１ｂ，・・・，１４１ｎは、各ブランチに対応して設けられる。すなわち、第１の除算部１４１ａは第１のブランチに対応して設けられ、第２の除算部１４１ｂは第２のブランチに対応して設けられ、第ｎの除算部１４１ｎは第ｎのブランチに対応して設けられる。そして、各除算部１４１ａ，１４１ｂ，・・・，１４１ｎにおける除算の結果は、マスク判定部２０３および重み係数調整部２０４に入力される。
【０２３５】
マスク判定部２０３は、入力された除算結果の比を算出し、当該比と選択合成しきい値とを比較して、当該比較の結果に対応する信号を重み係数調整部２０４に出力する。重み係数調整部２０４は、マスク判定部２０３から入力された信号に応じて重み係数を算出する。
【０２３６】
なお、実施の形態２において説明した伝送路判定部１１ａ’を当該実施の形態７におけるダイバーシチ受信装置に適用することもできる。また、実施の形態３において説明した雑音電力算出部９ａ’を当該実施の形態７におけるダイバーシチ受信装置に適用してもよい。
【０２３７】
また、実施の形態１〜７においては、電力値を使用して、当該ダイバーシチ受信装置における演算等を行なう場合について説明したが、信号レベルを示すパラメータであれば、電力値のほか、電流値、電圧値等を使用してもよい。
【産業上の利用可能性】
【０２３８】
前記実施の形態１〜７に記載のダイバーシチ受信装置は、直交周波数分割多重方式を用いた地上デジタル放送のダイバーシチ受信装置に適用することができる。また、前記地上デジタル放送を受信する移動体用ダイバーシチ受信装置に適用することができる。例えば、携帯端末、車載用等のダイバーシチ受信装置に適用することができる。また、家庭用受信装置のような固定の受信装置に適用してもよい。
【図面の簡単な説明】
【０２３９】
【図１】この発明の実施の形態１におけるダイバーシチ受信装置の構成を示すブロック図である。
【図２】この発明の実施の形態１における雑音電力算出部の構成を示すブロック図である。
【図３】ＯＦＤＭ信号に含まれるパイロット信号がＢＰＳＫ方式またはＤＢＰＳＫ方式で変調されている場合におけるコンスタレーションを説明するための説明図である。
【図４】日本の地上デジタル放送方式で使用されているＯＦＤＭ信号におけるスキャッタードパイロット信号および当該スキャッタードパイロット信号以外の信号の配置を模式的に示した模式図である。
【図５】この発明の実施の形態１における遅延プロファイル算出部の構成を示すブロック図である。
【図６】この発明の実施の形態１における伝送路判定部の構成を示すブロック図である。
【図７】到来波電力値算出部から出力された遅延プロファイルを模式的に示した模式図である。
【図８】この発明の実施の形態１における重み係数算出部の構成を示すブロック図である。
【図９】復調経路が２つの場合における重み係数算出部の構成を示すブロック図である。
【図１０】復調経路が２つの場合における重み係数算出部の他の構成を示すブロック図である。
【図１１】この発明の実施の形態２における伝送路判定部の構成を示すブロック図である。
【図１２】遅延プロファイル算出部において算出された遅延プロファイルを模式的に示した模式図である。
【図１３】伝送路歪みレベル判定部における伝送路歪み情報の生成を説明するための説明図である。
【図１４】実施の形態２における伝送路判定部、と実施の形態１における伝送路判定部とを組み合わせた場合におけるダイバーシチ受信装置の構成を示すブロック図である。
【図１５】各ブランチの遅延プロファイル算出部において算出された遅延プロファイルを模式的に示した模式図である。
【図１６】この発明の実施の形態３における雑音電力算出部の構成を示すブロック図である。
【図１７】この発明の実施の形態４におけるダイバーシチ受信装置の構成を示すブロック図である。
【図１８】この発明の実施の形態５におけるダイバーシチ受信装置の構成を示すブロック図である。
【図１９】この発明の実施の形態６におけるダイバーシチ受信装置の構成を示すブロック図である。
【図２０】この発明の実施の形態７におけるダイバーシチ受信装置の構成を示すブロック図である。
【図２１】この発明の実施の形態７における重み係数算出部の構成を示すブロック図である。
【図２２】この発明の実施の形態７における重み係数算出部の他の構成を示すブロック図である。
【符号の説明】
【０２４０】
１ａ，１ｎ  アンテナ部、２ａ，２ｎ  周波数変換部、３ａ，３ｎ  自動利得調整部、４ａ，４ｎ  利得設定部、５ａ，５ｎ  フーリエ変換部、６ａ，６ｎ  伝送路推定部、
７ａ，７ｎ  搬送波復調部、８ａ，８ｎ  推定値電力算出部、９ａ，９ｎ，９ａ’  雑音電力算出部、１０ａ，１０ｎ  遅延プロファイル算出部、１１ａ，１１ｎ、１１ａ’  伝送路判定部、１２  伝送路比較部、１３ａ，１３ｎ，１７ａ，１７ｎ，１８ａ，１８ｎ，１９ａ，１９ｎ  信頼性情報生成部、１４，１４５ａ，１４５ｂ  第１の重み係数算出部、１５  合成部、１６  比較部、２０，２０２  第２の重み係数算出部９１ａ，１０１ａ  パイロット信号抽出部、９２ａ  信号誤差算出部、９３ａ  平均誤差算出部、９４ａ  ２値変調信号抽出部、９５ａ  硬判定部、９６ａ  差分信号算出部、９７ａ  差分値平均部、１００ａ，１００ｎ  復調部、１０２ａ  伝送路応答算出部、１０３ａ  伝送路応答内挿部、１０４ａ  逆フーリエ変換部、１０５ａ  到来波電力値算出部、１１１ａ，１１２ａ，１１６ａ，１１７ａ  電力和算出部、１１３ａ  電力比算出部、１１４ａ  シンボル間干渉判定部、１１５ａ  伝送路歪レベル判定部、１４１ａ，１４１ｂ，１４１ｃ  除算部、１４２，１４４，１４８，２０２，２０４  重み係数調整部、１４３ａ，１４３ｂ，１４７  乗算部、２０１，２０３  マスク判定部。
【要約】
【課題】  受信信号に応じた最適な合成比を算出してダイバーシチ合成を行なうことにより、当該ダイバーシチ受信装置の受信性能を向上する。
【解決手段】  受信したＯＦＤＭ信号を復調して復調信号を出力する複数の復調手段、各復調手段に対して設けられ、対応する前記復調手段の前記復調信号に含まれる雑音成分を算出する雑音成分算出手段、各復調手段に対して設けられ、対応する前記復調手段のＯＦＤＭ信号の遅延プロファイルを算出する遅延プロファイル算出手段、前記遅延プロファイルに基づいて伝送路を判定する伝送路判定手段、前記雑音成分ならびに前記伝送路判定手段の判定の結果に基づいて各復調手段の復調信号の信頼性を示す信頼性情報を生成する信頼性情報生成手段、前記信頼性情報に応じて各復調手段の復調信号を合成する際に使用する重み係数を算出する重み係数算出手段および前記重み係数に応じて各復調手段の復調信号を合成する合成手段を備える。
【選択図】          図１
【図１】
0003724501.tif 000038
【図２】
0003724501.tif 000039
【図３】
0003724501.tif 000040
【図４】
0003724501.tif 000041
【図５】
0003724501.tif 000042
【図６】
0003724501.tif 000043
【図７】
0003724501.tif 000044
【図８】
0003724501.tif 000045
【図９】
0003724501.tif 000046
【図１０】
0003724501.tif 000047
【図１１】
0003724501.tif 000048
【図１２】
0003724501.tif 000049
【図１３】
0003724501.tif 000050
【図１４】
0003724501.tif 000051
【図１５】
0003724501.tif 000052
【図１６】
0003724501.tif 000053
【図１７】
0003724501.tif 000054
【図１８】
0003724501.tif 000055
【図１９】
0003724501.tif 000056
【図２０】
0003724501.tif 000057
【図２１】
0003724501.tif 000058
【図２２】
0003724501.tif 000059